(57)【要約】【課題】プリンタへのファイルの転送を設定するに際し、画面の切り換えなく設定することができ、キーやマウス等の操作回数も少なくすみ、また、予めプリンタに転送される候補に成り得るファイルを分類毎にフォルダに分けて管理する必要をなくすることができるファイル管理装置及びファイル管理プログラムを提供する。【解決手段】エクスプローラからファイル管理画面１１０のプリンタ表示領域１２０に表示される接続可能機種の項目までファイルがドラッグ＆ドロップされた場合、ファイルがドロップされた接続可能機種は、ドロップされたファイルに該当する機種か否かが判断され、該当する機種であると判断された場合（Ｓ３４：ＹＥＳ）は、ドロップされたファイルは、そのファイルをドロップされた接続可能機種のファイル登録リストに登録される（Ｓ３５）。【選択図】図９
2008015853.tif 000002
【特許請求の範囲】
【請求項１】
表示手段と、ポインティングデバイスを有する入力手段と、プリンタと通信する通信手段とを備え、前記プリンタに接続するファイル管理装置において、
前記表示手段に設けられ、ファイルを表示するファイル表示領域と、
前記表示手段に設けられ、当該ファイル管理装置に接続され得る前記プリンタを表示するプリンタ表示領域と、
前記ファイル表示領域に表示されている前記ファイルを前記プリンタ表示領域に表示されているプリンタまで前記ポインティングデバイスによりドラッグ＆ドロップすることにより当該ファイルを当該プリンタに関連付ける第１関連付け手段と、
前記プリンタと前記ファイルの組合せの情報が記憶される記憶手段と、
互いに関連付けられた前記プリンタと前記ファイルとが対応しているか否かを判断する判断手段と、
前記ファイルを前記プリンタに転送するようにファイルを登録する登録手段とを備え、
前記判断手段を介して前記第１関連付け手段により関連付けられた前記プリンタと前記ファイルとが対応していると判断された場合に、前記登録手段は、前記記憶手段に前記プリンタと前記ファイルの組合せの情報を記憶することにより前記ファイルが前記プリンタに転送されるように前記ファイルを登録することを特徴とするファイル管理装置。
【請求項２】
前記表示手段に設けられ、前記プリンタに転送するように登録されたファイルが表示される登録ファイル表示領域を備えることを特徴とする請求項１に記載のファイル管理装置。
【請求項３】
前記ファイル表示領域に表示されている前記ファイルを前記登録ファイル表示領域まで前記ポインティングデバイスによりドラッグ＆ドロップすることにより当該ファイルを登録ファイル表示領域が表示しているプリンタに関連付ける第２関連付け手段を備え、
前記判断手段を介して前記第２関連付け手段により関連付けられた前記プリンタと前記ファイルとが対応していると判断された場合に、前記登録手段は、前記ファイルが前記プリンタに転送されるように前記ファイルを登録することを特徴とする請求項２に記載のファイル管理装置。
【請求項４】
前記プリンタ表示領域において当該ファイル管理装置に現在接続されている前記プリンタが識別されるように表示されることを特徴とする請求項１に記載のファイル管理装置。
【請求項５】
前記プリンタ表示領域には、当該ファイル管理装置に現在接続されている接続プリンタが表示され、
操作者が前記プリンタ表示領域に表示されているプリンタを前記プリンタ表示領域に表示されている前記接続プリンタまで前記ポインティングデバイスによりドラッグ＆ドロップすることにより前記プリンタに転送されるように登録されているファイルを接続プリンタに関連付ける第３関連付け手段とを備え、
前記判断手段を介して前記第３関連付け手段により関連付けられた前記接続プリンタと前記ファイルとが対応していると判断された場合において、前記通信手段は、前記接続プリンタに対して前記ファイルを転送することを特徴とする請求項１に記載のファイル管理装置。
【請求項６】
前記プリンタ表示領域には、当該ファイル管理装置に現在接続されている接続プリンタが表示され、
複数のプリンタが当該ファイル管理装置に接続可能であり、
前記プリンタ表示領域に表示されている前記複数のプリンタから登録されたファイルが前記登録ファイル表示領域に表示されるプリンタを選択するプリンタ選択手段と、
前記プリンタ選択手段により選択された前記プリンタに転送されるファイルとして前記登録ファイル表示領域に表示されている前記ファイルを前記接続プリンタまで前記ポインティングデバイスによりドラッグ＆ドロップすることにより当該ファイルを接続プリンタに関連付ける第４関連付け手段を備え、
前記判断手段を介して前記第４関連付け手段により関連付けられた前記接続プリンタと前記ファイルとが対応していると判断された場合において、前記通信手段は、前記接続プリンタに対して前記ファイルを転送することを特徴とする請求項１に記載のファイル管理装置。
【請求項７】
前記判断手段を介して、互いに関連付けられた前記プリンタと前記ファイルとが対応していないと判断された場合にその旨を警告する警告手段を備えることを特徴とする請求項１に記載のファイル管理装置。
【請求項８】
複数のプリンタが当該ファイル管理装置に接続可能であり、
前記プリンタ表示領域に表示されている前記複数のプリンタの中から所定のファイルに対応するプリンタを抽出する抽出手段を備え、
前記ポインティングデバイスにより前記ファイルがドラッグされている間、前記ファイルに対応するプリンタとして前記抽出手段により抽出された前記プリンタを点滅表示することを特徴とする請求項１に記載のファイル管理装置。
【請求項９】
複数のプリンタが当該ファイル管理装置に接続可能であり、
前記プリンタ表示領域に表示されている前記複数のプリンタの中から所定のファイルに対応するプリンタを抽出する抽出手段を備え、
前記ポインティングデバイスにより前記ファイルがドラッグされている間、前記ファイルに対応するプリンタとして前記抽出手段により抽出されなかった前記プリンタをグレーアウト表示することを特徴とする請求項１に記載のファイル管理装置。
【請求項１０】
複数のプリンタが当該ファイル管理装置に接続可能であり、
プリンタ表示領域に表示されている前記複数のプリンタの中から所定のファイルに対応するプリンタを抽出する抽出手段と、
前記抽出手段により抽出された前記プリンタに前記ファイルを転送するようにファイルを登録するか否かを操作者に確認させる確認手段とを備え、
前記判断手段を介して、互いに関連付けられた前記プリンタと前記ファイルとが対応していないと判断された場合、前記抽出手段により抽出されたプリンタにファイルを登録するか否かを前記確認手段を介して操作者に確認させることを特徴とする請求項１に記載のファイル管理装置。
【請求項１１】
コンピュータに、１以上のプリンタに転送するファイルのファイル管理を実行させるファイル管理プログラムにおいて、
ファイルを表示手段に設けられたファイル表示領域に表示するファイル表示工程と、
前記プリンタを前記表示手段に設けられたプリンタ表示領域に表示するプリンタ表示工程と、
前記ファイル表示領域に表示されている前記ファイルを前記プリンタ表示領域に表示されているプリンタまでポインティングデバイスによりドラッグ＆ドロップすることにより当該ファイルを当該プリンタに関連付ける第１関連付け工程と、
互いに関連付けられた前記プリンタと前記ファイルとが対応しているか否かを判断する判断工程と、
前記判断工程において、前記第１関連付け工程により関連付けられた前記プリンタと前記ファイルとが対応していると判断された場合に、前記プリンタと前記ファイルの組合せの情報が記憶される記憶手段に第１関連付け工程により関連付けられた前記プリンタと前記ファイルの組合せの情報を記憶することにより前記ファイルが前記プリンタに転送されるように前記ファイルを登録する登録工程とをコンピュータに実行させることを特徴とするファイル管理プログラム。
【請求項１２】
前記プリンタに転送するように登録されたファイルを前記表示手段に設けられた登録ファイル表示領域に表示する登録ファイル表示工程を備えることを特徴とする請求項１１に記載のファイル管理プログラム。
【請求項１３】
前記ファイル表示領域に表示されている前記ファイルを前記登録ファイル表示領域まで前記ポインティングデバイスによりドラッグ＆ドロップすることにより当該ファイルを登録ファイル表示領域が表示しているプリンタに関連付ける第２関連付け工程を備え、
前記判断工程を介して前記第２関連付け工程により関連付けられた前記プリンタと前記ファイルとが対応していると判断された場合に、前記登録工程は、前記ファイルが前記プリンタに転送されるように前記ファイルを登録することを特徴とする請求項１２に記載のファイル管理プログラム。
【請求項１４】
前記プリンタ表示工程は、前記プリンタ表示領域において前記コンピュータに現在接続されている前記プリンタが識別されるように表示することを特徴とする請求項１１に記載のファイル管理プログラム。
【請求項１５】
前記プリンタ表示領域には、前記コンピュータに現在接続されている接続プリンタが表示され、
前記プリンタ表示領域に表示されているプリンタを前記プリンタ表示領域に表示されている前記接続プリンタまで前記ポインティングデバイスによりドラッグ＆ドロップすることにより前記プリンタに転送されるように登録されているファイルを接続プリンタに関連付ける第３関連付け工程と、
前記判断工程を介して前記第３関連付け工程により関連付けられた前記接続プリンタと前記ファイルとが対応していると判断された場合において、通信手段を介して前記接続プリンタに対して前記ファイルを転送する転送工程を備えることを特徴とする請求項１１に記載のファイル管理プログラム。
【請求項１６】
前記プリンタ表示領域には、前記コンピュータに現在接続されている接続プリンタが表示され、
前記プリンタ表示領域に表示される前記コンピュータに接続可能な複数のプリンタから登録されたファイルが前記登録ファイル表示領域に表示されるプリンタを選択するプリンタ選択工程と、
前記プリンタ選択工程により選択された前記プリンタに転送されるファイルとして前記登録ファイル表示領域に表示されている前記ファイルを前記接続プリンタまで前記ポインティングデバイスによりドラッグ＆ドロップさせることにより当該ファイルを接続プリンタに関連付ける第４関連付け工程を備え、
前記判断工程を介して前記第４関連付け工程により関連付けられた前記接続プリンタと前記ファイルとが対応していると判断された場合において、通信手段を介して前記接続プリンタに対して前記ファイルを転送する転送工程を備えることを特徴とする請求項１１に記載のファイル管理プログラム。
【請求項１７】
前記判断工程を介して、互いに関連付けられた前記プリンタと前記ファイルとが対応していないと判断された場合にその旨を警告する警告工程を備えることを特徴とする請求項１１に記載のファイル管理プログラム。
【請求項１８】
前記プリンタ表示領域に表示される前記コンピュータに接続可能な複数のプリンタの中から所定のファイルに対応するプリンタを抽出する抽出工程を備え、
前記プリンタ表示工程は、前記ポインティングデバイスにより前記ファイルがドラッグされている間、前記ファイルに対応するプリンタとして前記抽出工程により抽出された前記プリンタを点滅表示することを特徴とする請求項１１に記載のファイル管理プログラム。
【請求項１９】
前記プリンタ表示領域に表示される前記コンピュータに接続可能な複数のプリンタの中から所定のファイルに対応するプリンタを抽出する抽出工程を備え、
前記プリンタ表示工程は、前記ポインティングデバイスにより前記ファイルがドラッグされている間、前記ファイルに対応するプリンタとして前記抽出工程により抽出されなかった前記プリンタをグレーアウト表示することを特徴とする請求項１１に記載のファイル管理プログラム。
【請求項２０】
プリンタ表示領域に表示される前記コンピュータに接続可能な複数のプリンタの中から所定のファイルに対応するプリンタを抽出する抽出工程と、
前記抽出工程により抽出された前記プリンタに前記ファイルを転送するようにファイルを登録するか否かを操作者に確認させる確認工程とを備え、
前記判断工程を介して互いに関連付けられた前記プリンタと前記ファイルとが対応していないと判断された場合、前記確認工程は、前記抽出工程により抽出されたプリンタにファイルを登録するか否かを操作者に確認させることを特徴とする請求項１１に記載のファイル管理プログラム。
【発明の詳細な説明】
【技術分野】
【０００１】
本発明は、プリンタに転送するファイルを管理するファイル管理装置及びファイル管理プログラムに関し、ポインティングデバイスによるドラッグ＆ドロップ操作をすることによりファイルを管理するファイル管理装置及びファイル管理プログラムに関するものである。
【背景技術】
【０００２】
従来、プリンタとしては、当初から記憶している文字、イメージ、レイアウトのテンプレート等のデータを用いて印刷や表示を行うプリンタの他に、操作者が自由に文字、イメージ、レイアウトのテンプレート等のデータを記憶させておき、それらを用いて印刷や表示を行うプリンタが知られている。操作者が自由に設定できるデータは、プリンタ側で作成することができるプリンタもあるが、プリンタに接続されたパーソナルコンピュータ（以下、ＰＣと称する）からデータを転送させるプリンタが知られている。
【０００３】
プリンタに転送されるデータは、ＰＣにおいてデータ毎にファイルとして管理されている。ＰＣからは、複数のプリンタに対してファイルを転送することが可能であるが、そのファイルは必ずしも全てのプリンタに対応したファイルではない。プリンタ毎、あるいは、機種毎に対応するファイルが異なることが多い。そのため、対応するファイルはプリンタ毎、あるいは、機種毎にフォルダに分けて格納されて、転送時に操作者による転送の可不可を判断する手間を省くようにしていることがある。
【０００４】
ＰＣから複数のプリンタに対してファイルを転送する例として、レイアウトのテンプレートあるいは外字のデータのファイルが予め所定の分類毎にフォルダに分けて格納されており、ＰＣにて起動する転送ソフトウェアとして、先ず、所定の画面にて操作者にフォルダ、即ちファイル転送元の分類を指定させ、その後、別の画面にて操作者に転送するファイルを選択させて転送の設定をし、転送の設定をされたファイルをプリンタに転送する、という手順の転送ソフトウェアが知られている（特許文献１参照）。
【特許文献１】特開２００４−１５７９１２号公報
【発明の開示】
【発明が解決しようとする課題】
【０００５】
しかしながら、その手順では、複数のフォルダからのファイルの転送、即ち、複数のプリンタへのファイルの転送を設定しようとする時、画面の切り換えが頻繁に発生し、また、キーやマウス等の操作回数も多く必要であり、煩わしかった。また、予めプリンタに転送される候補に成り得るファイルを分類毎にフォルダに分けて管理する手間もあった。
【０００６】
そこで、本発明は、上述した問題点を解決するためになされたものであり、プリンタへのファイルの転送を設定するに際し、画面の切り換えを行うことなく設定することができ、キーやマウス等の操作回数も少なくすみ、また、予めプリンタに転送される候補に成り得るファイルを分類毎にフォルダに分けて管理する必要をなくすることを目的とする。
【課題を解決するための手段】
【０００７】
前記目的を達成するため請求項１に係るファイル管理装置は、表示手段と、ポインティングデバイスを有する入力手段と、プリンタと通信する通信手段とを備え、前記プリンタに接続するファイル管理装置において、前記表示手段に設けられ、ファイルを表示するファイル表示領域と、前記表示手段に設けられ、当該ファイル管理装置に接続され得る前記プリンタを表示するプリンタ表示領域と、前記ファイル表示領域に表示されている前記ファイルを前記プリンタ表示領域に表示されているプリンタまで前記ポインティングデバイスによりドラッグ＆ドロップすることにより当該ファイルを当該プリンタに関連付ける第１関連付け手段と、前記プリンタと前記ファイルの組合せの情報が記憶される記憶手段と、互いに関連付けられた前記プリンタと前記ファイルとが対応しているか否かを判断する判断手段と、前記ファイルを前記プリンタに転送するようにファイルを登録する登録手段とを備え、前記判断手段を介して前記第１関連付け手段により関連付けられた前記プリンタと前記ファイルとが対応していると判断された場合に、前記登録手段は、前記記憶手段に前記プリンタと前記ファイルの組合せの情報を記憶することにより前記ファイルが前記プリンタに転送されるように前記ファイルを登録することを特徴とする。
【０００８】
また、請求項２に記載のファイル管理装置は、請求項１に記載のファイル管理装置において、前記表示手段に設けられ、前記プリンタに転送するように登録されたファイルが表示される登録ファイル表示領域を備えることを特徴とする。
【０００９】
また、請求項３に記載のファイル管理装置は、請求項２に記載のファイル管理装置において、前記ファイル表示領域に表示されている前記ファイルを前記登録ファイル表示領域まで前記ポインティングデバイスによりドラッグ＆ドロップすることにより当該ファイルを登録ファイル表示領域が表示しているプリンタに関連付ける第２関連付け手段を備え、前記判断手段を介して前記第２関連付け手段により関連付けられた前記プリンタと前記ファイルとが対応していると判断された場合に、前記登録手段は、前記ファイルが前記プリンタに転送されるように前記ファイルを登録することを特徴とする。
【００１０】
また、請求項４に記載のファイル管理装置は、請求項１に記載のファイル管理装置において、前記プリンタ表示領域において当該ファイル管理装置に現在接続されている前記プリンタが識別されるように表示されることを特徴とする。
【００１１】
また、請求項５に記載のファイル管理装置は、請求項１に記載のファイル管理装置において、前記プリンタ表示領域には、当該ファイル管理装置に現在接続されている接続プリンタが表示され、操作者が前記プリンタ表示領域に表示されているプリンタを前記プリンタ表示領域に表示されている前記接続プリンタまで前記ポインティングデバイスによりドラッグ＆ドロップすることにより前記プリンタに転送されるように登録されているファイルを接続プリンタに関連付ける第３関連付け手段とを備え、前記判断手段を介して前記第３関連付け手段により関連付けられた前記接続プリンタと前記ファイルとが対応していると判断された場合において、前記通信手段は、前記接続プリンタに対して前記ファイルを転送することを特徴とする。
【００１２】
また、請求項６に記載のファイル管理装置は、請求項１に記載のファイル管理装置において、前記プリンタ表示領域には、当該ファイル管理装置に現在接続されている接続プリンタが表示され、複数のプリンタが当該ファイル管理装置に接続可能であり、前記プリンタ表示領域に表示されている前記複数のプリンタから登録されたファイルが前記登録ファイル表示領域に表示されるプリンタを選択するプリンタ選択手段と、前記プリンタ選択手段により選択された前記プリンタに転送されるファイルとして前記登録ファイル表示領域に表示されている前記ファイルを前記接続プリンタまで前記ポインティングデバイスによりドラッグ＆ドロップすることにより当該ファイルを接続プリンタに関連付ける第４関連付け手段を備え、前記判断手段を介して前記第４関連付け手段により関連付けられた前記接続プリンタと前記ファイルとが対応していると判断された場合において、前記通信手段は、前記接続プリンタに対して前記ファイルを転送することを特徴とする。
【００１３】
また、請求項７に記載のファイル管理装置は、請求項１に記載のファイル管理装置において、前記判断手段を介して、互いに関連付けられた前記プリンタと前記ファイルとが対応していないと判断された場合にその旨を警告する警告手段を備えることを特徴とする。
【００１４】
また、請求項８に記載のファイル管理装置は、請求項１に記載のファイル管理装置において、複数のプリンタが当該ファイル管理装置に接続可能であり、前記プリンタ表示領域に表示されている前記複数のプリンタの中から所定のファイルに対応するプリンタを抽出する抽出手段を備え、前記ポインティングデバイスにより前記ファイルがドラッグされている間、前記ファイルに対応するプリンタとして前記抽出手段により抽出された前記プリンタを点滅表示することを特徴とする。
【００１５】
また、請求項９に記載のファイル管理装置は、請求項１に記載のファイル管理装置において、複数のプリンタが当該ファイル管理装置に接続可能であり、前記プリンタ表示領域に表示されている前記複数のプリンタの中から所定のファイルに対応するプリンタを抽出する抽出手段を備え、前記ポインティングデバイスにより前記ファイルがドラッグされている間、前記ファイルに対応するプリンタとして前記抽出手段により抽出されなかった前記プリンタをグレーアウト表示することを特徴とする。
【００１６】
また、請求項１０に記載のファイル管理装置は、請求項１に記載のファイル管理装置において、複数のプリンタが当該ファイル管理装置に接続可能であり、プリンタ表示領域に表示されている前記複数のプリンタの中から所定のファイルに対応するプリンタを抽出する抽出手段と、前記抽出手段により抽出された前記プリンタに前記ファイルを転送するようにファイルを登録するか否かを操作者に確認させる確認手段とを備え、前記判断手段を介して、互いに関連付けられた前記プリンタと前記ファイルとが対応していないと判断された場合、前記抽出手段により抽出されたプリンタにファイルを登録するか否かを前記確認手段を介して操作者に確認させることを特徴とする。
【００１７】
また、請求項１１に記載のファイル管理プログラムは、コンピュータに、１以上のプリンタに転送するファイルのファイル管理を実行させるファイル管理プログラムにおいて、ファイルを表示手段に設けられたファイル表示領域に表示するファイル表示工程と、前記プリンタを前記表示手段に設けられたプリンタ表示領域に表示するプリンタ表示工程と、前記ファイル表示領域に表示されている前記ファイルを前記プリンタ表示領域に表示されているプリンタまでポインティングデバイスによりドラッグ＆ドロップすることにより当該ファイルを当該プリンタに関連付ける第１関連付け工程と、互いに関連付けられた前記プリンタと前記ファイルとが対応しているか否かを判断する判断工程と、前記判断工程において、前記第１関連付け工程により関連付けられた前記プリンタと前記ファイルとが対応していると判断された場合に、前記プリンタと前記ファイルの組合せの情報が記憶される記憶手段に第１関連付け工程により関連付けられた前記プリンタと前記ファイルの組合せの情報を記憶することにより前記ファイルが前記プリンタに転送されるように前記ファイルを登録する登録工程とをコンピュータに実行させる。
【００１８】
また、請求項１２に記載のファイル管理プログラムは、請求項１１に記載のファイル管理プログラムにおいて、前記プリンタに転送するように登録されたファイルを前記表示手段に設けられた登録ファイル表示領域に表示する登録ファイル表示工程をさらにコンピュータに実行させる。
【００１９】
また、請求項１３に記載のファイル管理プログラムは、請求項１２に記載のファイル管理プログラムにおいて、前記ファイル表示領域に表示されている前記ファイルを前記登録ファイル表示領域まで前記ポインティングデバイスによりドラッグ＆ドロップすることにより当該ファイルを登録ファイル表示領域が表示しているプリンタに関連付ける第２関連付け工程を備え、前記判断工程を介して前記第２関連付け工程により関連付けられた前記プリンタと前記ファイルとが対応していると判断された場合に、前記登録工程は、前記ファイルが前記プリンタに転送されるように前記ファイルを登録する。
【００２０】
また、請求項１４に記載のファイル管理プログラムは、請求項１１に記載のファイル管理プログラムにおいて、前記プリンタ表示工程は、前記プリンタ表示領域において前記コンピュータに現在接続されている前記プリンタが識別されるように表示する。
【００２１】
また、請求項１５に記載のファイル管理プログラムは、請求項１１に記載のファイル管理プログラムにおいて、前記プリンタ表示領域には、前記コンピュータに現在接続されている接続プリンタが表示され、前記プリンタ表示領域に表示されているプリンタを前記プリンタ表示領域に表示されている前記接続プリンタまで前記ポインティングデバイスによりドラッグ＆ドロップすることにより前記プリンタに転送されるように登録されているファイルを接続プリンタに関連付ける第３関連付け工程と、前記判断工程を介して前記第３関連付け工程により関連付けられた前記接続プリンタと前記ファイルとが対応していると判断された場合において、通信手段を介して前記接続プリンタに対して前記ファイルを転送する転送工程をさらにコンピュータに実行させる。
【００２２】
また、請求項１６に記載のファイル管理プログラムは、請求項１１に記載のファイル管理プログラムにおいて、前記プリンタ表示領域には、前記コンピュータに現在接続されている接続プリンタが表示され、前記プリンタ表示領域に表示される前記コンピュータに接続可能な複数のプリンタから登録されたファイルが前記登録ファイル表示領域に表示されるプリンタを選択するプリンタ選択工程と、前記プリンタ選択工程により選択された前記プリンタに転送されるファイルとして前記登録ファイル表示領域に表示されている前記ファイルを前記接続プリンタまで前記ポインティングデバイスによりドラッグ＆ドロップさせることにより当該ファイルを接続プリンタに関連付ける第４関連付け工程を備え、前記判断工程を介して前記第４関連付け工程により関連付けられた前記接続プリンタと前記ファイルとが対応していると判断された場合において、通信手段を介して前記接続プリンタに対して前記ファイルを転送する転送工程をさらにコンピュータに実行させる。
【００２３】
また、請求項１７に記載のファイル管理プログラムは、請求項１１に記載のファイル管理プログラムにおいて、前記判断工程を介して、互いに関連付けられた前記プリンタと前記ファイルとが対応していないと判断された場合にその旨を警告する警告工程をさらにコンピュータに実行させる。
【００２４】
また、請求項１８に記載のファイル管理プログラムは、請求項１１に記載のファイル管理プログラムにおいて、前記プリンタ表示領域に表示される前記コンピュータに接続可能な複数のプリンタの中から所定のファイルに対応するプリンタを抽出する抽出工程を備え、前記プリンタ表示工程は、前記ポインティングデバイスにより前記ファイルがドラッグされている間、前記ファイルに対応するプリンタとして前記抽出工程により抽出された前記プリンタを点滅表示する。
【００２５】
また、請求項１９に記載のファイル管理プログラムは、請求項１１に記載のファイル管理プログラムにおいて、前記プリンタ表示領域に表示される前記コンピュータに接続可能な複数のプリンタの中から所定のファイルに対応するプリンタを抽出する抽出工程を備え、前記プリンタ表示工程は、前記ポインティングデバイスにより前記ファイルがドラッグされている間、前記ファイルに対応するプリンタとして前記抽出工程により抽出されなかった前記プリンタをグレーアウト表示する。
【００２６】
また、請求項２０に記載のファイル管理プログラムは、請求項１１に記載のファイル管理プログラムにおいて、プリンタ表示領域に表示される前記コンピュータに接続可能な複数のプリンタの中から所定のファイルに対応するプリンタを抽出する抽出工程と、前記抽出工程により抽出された前記プリンタに前記ファイルを転送するようにファイルを登録するか否かを操作者に確認させる確認工程とを備え、前記判断工程を介して互いに関連付けられた前記プリンタと前記ファイルとが対応していないと判断された場合、前記確認工程は、前記抽出工程により抽出されたプリンタにファイルを登録するか否かを操作者に確認させる。
【発明の効果】
【００２７】
請求項１に係るファイル管理装置では、前記ファイル表示領域に表示されている前記ファイルを前記プリンタ表示領域に表示されているプリンタまで前記ポインティングデバイスによりドラッグ＆ドロップすることにより当該ファイルを当該プリンタに関連付ける第１関連付け手段と互いに関連付けられた前記プリンタと前記ファイルとが対応しているか否かを判断する判断手段とを備え、前記判断手段を介して前記第１関連付け手段により関連付けられた前記プリンタと前記ファイルとが対応していると判断された場合に、前記登録手段は、前記ファイルが前記プリンタに転送されるように前記ファイルを登録するように構成されている。
【００２８】
これにより、プリンタに対してファイルの転送を設定するに際し、１つの画面にて、ファイルの転送を設定することができる。また、マウスによるドラッグ＆ドロップをすることによりファイルの転送を設定できるので、操作回数も少なくすむ。また、判断手段が前記プリンタと前記ファイルとが対応しているか否かを判断するので、予めプリンタに転送される候補に成り得るファイルを分類毎にフォルダに分けて管理する必要はない。
【００２９】
請求項２に係るファイル管理装置では、前記プリンタに転送するように登録されたファイルが表示される登録ファイル表示領域を備えている。
【００３０】
これにより、転送するように登録されたファイルを確認することができる。
【００３１】
請求項３に係るファイル管理装置では、前記ファイル表示領域に表示されている前記ファイルを前記登録ファイル表示領域まで前記ポインティングデバイスによりドラッグ＆ドロップすることにより当該ファイルを登録ファイル表示領域が表示しているプリンタに関連付ける第２関連付け手段を備えている。
【００３２】
これにより、登録ファイル表示領域にファイルをドラッグ＆ドロップすることによってもファイルの転送を設定でき、操作性が向上する。
【００３３】
請求項４に係るファイル管理装置では、前記プリンタ表示領域において当該ファイル管理装置に現在接続されている前記プリンタが識別されるように表示される。
【００３４】
これにより、現在ファイルを転送可能なプリンタを把握することができる。
【００３５】
請求項５に係るファイル管理装置では、操作者が前記プリンタ表示領域に表示されているプリンタを前記プリンタ表示領域に表示されている前記接続プリンタまで前記ポインティングデバイスによりドラッグ＆ドロップすることにより前記プリンタに転送されるように登録されているファイルを接続プリンタに関連付ける第３関連付け手段とを備えている。
【００３６】
これにより、プリンタ表示領域に表示されているプリンタをプリンタ表示領域に表示されている接続プリンタまでドラッグ＆ドロップすることにより接続プリンタに対して直ちにファイルを転送することができる。
【００３７】
請求項６に係るファイル管理装置では、前記プリンタ選択手段により選択された前記プリンタに転送されるファイルとして前記登録ファイル表示領域に表示されている前記ファイルを前記接続プリンタまで前記ポインティングデバイスによりドラッグ＆ドロップすることにより当該ファイルを接続プリンタに関連付ける第４関連付け手段を備えている。
【００３８】
これにより、登録ファイル表示領域に表示されているファイルを接続プリンタまでドラッグ＆ドロップすることにより接続プリンタに対して直ちにファイルを転送することができる。
【００３９】
請求項７に係るファイル管理装置では、互いに関連付けられた前記プリンタと前記ファイルとが対応していないと判断された場合にその旨を警告する警告手段を備える。
【００４０】
これにより、操作者に警告することができ、操作者は操作が無効であったことを知ることができる。
【００４１】
請求項８に係るファイル管理装置では、前記ポインティングデバイスにより前記ファイルがドラッグされている間、前記ファイルに対応するプリンタとして前記抽出手段により抽出された前記プリンタを点滅表示する。
【００４２】
これにより、無効な操作が減り、操作性が向上する。
【００４３】
請求項９に係るファイル管理装置では、前記ポインティングデバイスにより前記ファイルがドラッグされている間、前記ファイルに対応するプリンタとして前記抽出手段により抽出されなかった前記プリンタをグレーアウト表示する。
【００４４】
これにより、無効な操作が減り、操作性が向上する。
【００４５】
請求項１０に係るファイル管理装置では、互いに関連付けられた前記プリンタと前記ファイルとが対応していないと判断された場合、前記抽出手段により抽出されたプリンタにファイルを登録するか否かを前記確認手段を介して操作者に確認させる。
【００４６】
これにより、無効な操作をしてしまった際に、有効な操作に成り得るプリンタが抽出されるので、操作者は無効な操作を繰り返すことがなく、操作性が向上する。
【００４７】
請求項１１に係るファイル管理プログラムでは、前記ファイル表示領域に表示されている前記ファイルを前記プリンタ表示領域に表示されているプリンタまでポインティングデバイスによりドラッグ＆ドロップすることにより当該ファイルを当該プリンタに関連付ける第１関連付け工程と、互いに関連付けられた前記プリンタと前記ファイルとが対応しているか否かを判断する判断工程と、前記判断工程において、前記第１関連付け工程により関連付けられた前記プリンタと前記ファイルとが対応していると判断された場合に、前記ファイルが前記プリンタに転送されるように前記ファイルを登録する登録工程を備えている。
【００４８】
これにより、プリンタに対してファイルの転送を設定するに際し、１つの画面にて、ファイルの転送を設定することができる。また、マウスによるドラッグ＆ドロップをすることによりファイルの転送を設定できるので、操作回数も少なくすむ。また、判断手段が前記プリンタと前記ファイルとが対応しているか否かを判断するので、予めプリンタに転送される候補に成り得るファイルを分類毎にフォルダに分けて管理する必要はない。
【００４９】
請求項１２に係るファイル管理プログラムでは、前記プリンタに転送するように登録されたファイルを前記表示手段に設けられた登録ファイル表示領域に表示する登録ファイル表示工程を備える。
【００５０】
これにより、転送するように登録されたファイルを確認することができる。
【００５１】
請求項１３に係るファイル管理プログラムでは、前記ファイル表示領域に表示されている前記ファイルを前記登録ファイル表示領域まで前記ポインティングデバイスによりドラッグ＆ドロップすることにより当該ファイルを登録ファイル表示領域が表示しているプリンタに関連付ける第２関連付け工程を備えている。
【００５２】
これにより、登録ファイル表示領域にファイルをドラッグ＆ドロップすることによってもファイルの転送を設定でき、操作性が向上する。
【００５３】
請求項１４に係るファイル管理プログラムでは、前記プリンタ表示工程は、前記プリンタ表示領域において前記コンピュータに現在接続されている前記プリンタが識別されるように表示する。
【００５４】
これにより、現在ファイルを転送可能なプリンタを把握することができる。
【００５５】
請求項１５に係るファイル管理プログラムでは、前記プリンタ表示領域に表示されているプリンタを前記プリンタ表示領域に表示されている前記接続プリンタまで前記ポインティングデバイスによりドラッグ＆ドロップすることにより前記プリンタに転送されるように登録されているファイルを接続プリンタに関連付ける第３関連付け工程を備えている。
【００５６】
これにより、プリンタ表示領域に表示されているプリンタをプリンタ表示領域に表示されている接続プリンタまでドラッグ＆ドロップすることにより接続プリンタに対して直ちにファイルを転送することができる。
【００５７】
請求項１６に係るファイル管理プログラムでは、前記プリンタ選択工程により選択された前記プリンタに転送されるファイルとして前記登録ファイル表示領域に表示されている前記ファイルを前記接続プリンタまで前記ポインティングデバイスによりドラッグ＆ドロップさせることにより当該ファイルを接続プリンタに関連付ける第４関連付け工程を備えている。
【００５８】
これにより、登録ファイル表示領域に表示されているファイルを接続プリンタまでドラッグ＆ドロップすることにより接続プリンタに対して直ちにファイルを転送することができる。
【００５９】
請求項１７に係るファイル管理プログラムでは、互いに関連付けられた前記プリンタと前記ファイルとが対応していないと判断された場合にその旨を警告する警告工程を備える。
【００６０】
これにより、操作者に警告することができ、操作者は操作が無効であったことを知ることができる。
【００６１】
請求項１８に係るファイル管理プログラムでは、前記ポインティングデバイスにより前記ファイルがドラッグされている間、前記ファイルに対応するプリンタとして前記抽出工程により抽出された前記プリンタを点滅表示する。
【００６２】
これにより、無効な操作が減り、操作性が向上する。
【００６３】
請求項１９に係るファイル管理プログラムでは、前記ポインティングデバイスにより前記ファイルがドラッグされている間、前記ファイルに対応するプリンタとして前記抽出工程により抽出されなかった前記プリンタをグレーアウト表示する。
【００６４】
これにより、無効な操作が減り、操作性が向上する。
【００６５】
請求項２０に係るファイル管理プログラムでは、互いに関連付けられた前記プリンタと前記ファイルとが対応していないと判断された場合、前記確認工程は、前記抽出工程により抽出されたプリンタにファイルを登録するか否かを操作者に確認させる。
【００６６】
これにより、無効な操作をしてしまった際に、有効な操作に成り得るプリンタが抽出されるので、操作者は無効な操作を繰り返すことがなく、操作性が向上する。
【発明を実施するための最良の形態】
【００６７】
以下、本発明に係るファイル管理装置について具体化した実施形態に基づいて図面を参照して詳細に説明する。本発明に係る「ファイル管理装置」として、プリンタ１に接続されるＰＣ２を例に挙げて説明する。このＰＣ２には本発明に係る「ファイル管理プログラム」が搭載されている。
【００６８】
先ず、本実施形態に係るＰＣ２について、図１乃至図１５に基づき説明する。
【００６９】
図１は、プリンタ１及びＰＣ２の概略を示す外観斜視図である。図１に示すように、プリンタ１とＰＣ２とは、ＵＳＢの規格に基づくＵＳＢケーブル３により接続されており、ＵＳＢケーブル３を介してデータの授受を行っている。ＰＣ２は、本体４、モニタ５、キーボード６及びマウス（ポインティングデバイス）７を備えている。また、プリンタ１は、テープ状印刷媒体（テープ）に対して印刷を行うテープ印刷装置である。図１には、プリンタ１は１台のみがＰＣ２に接続された状態が示されているが、プリンタ１は、複数台接続されていることもある。また、プリンタ１は、一時的に、１台も接続されていないこともある。
【００７０】
図２は、ＰＣ２に接続されるプリンタ１の外観斜視図である。図２に示すように、プリンタ１は、その上面に文字キーや制御キー等の多数のキーを含むキーボード１０と、ラベルの編集作業等を行う際に参照するラベルのイメージ等を表示するディスプレイ１１とを備えている。また、キーボード１０には、複数の選択キー１２が備えられている。なお、図２では、選択キー１２として５個×２列に配設された計１０個のファンクションキー（ＰＦ１キー〜ＰＦ１０キー）を備えた例を示している。このプリンタ１は、内部に、図示しないテープ駆動印刷機構やテープ切断用のカッタ等を備えており、装着されたテープカセット（図示せず）からテープを引き出してこれに所定の印刷を行うとともに、カッタで切断して排出口１３から排出するようになっている。
【００７１】
次に、図３を参照してＰＣ２の電気的構成について説明する。図３は、ＰＣ２の電気的構成を示すブロック図である。図３に示すように、ＰＣ２には、ＰＣ２の制御を司るＣＰＵ２０が設けられている。このＣＰＵ２０には、ＣＰＵ２０が実行するＢＩＯＳ等のプログラムを記憶したＲＯＭ２１と、データを一時的に記憶するＲＡＭ２２と、データの記憶媒体であるＣＤ−ＲＯＭ２３を挿入し、データの読み込みを行うＣＤ−ＲＯＭドライブ２４と、データの記憶装置であるＨＤＤ２５とがバス２６を介して接続されている。尚、ＲＡＭ２２には、後述する機種リストが記憶される。
【００７２】
ＨＤＤ２５には、ＰＣ２において実行されるＷｉｎｄｏｗｓ（登録商標）ＯＳ、ＰＣ２において実行される前述のＷｉｎｄｏｗｓ（登録商標）ＯＳ上で動作することによりラベル編集機能を提供するラベル編集プログラム、同じく前述のＷｉｎｄｏｗｓ（登録商標）ＯＳ上で動作する本発明に係るファイル管理プログラム、ＰＣ２に接続可能なプリンタ１を制御するプリンタドライバプログラム等が記憶されるプログラム記憶エリア２７、ＰＣ２に接続可能なプリンタ１の機種名のリストが記憶される接続可能機種リスト記憶エリア２８、その機種のプリンタ１に転送されるファイルとして登録されたファイルの一覧表であるファイル登録リストが機種毎に記憶されたファイル登録リスト記憶エリア２９が設けられている。また、ＨＤＤ２５には、各種プログラムの実行に必要な設定や初期値、データ等の情報が記憶されている。
【００７３】
Ｗｉｎｄｏｗｓ（登録商標）ＯＳは、ファイルシステムを備えており、その製品名はエクスプローラである。周知なように、Ｗｉｎｄｏｗｓ（登録商標）ＯＳのファイルシステムはファイルとその入れ物であるフォルダとを管理しており、フォルダは入れ子にできるようになっている。ファイルシステムとしてはツリー構造をしており、エクスプローラは、フォルダを指定することにより、そのフォルダに存在するファイルを一覧表示することができる。また、これも周知なように、エクスプローラは、ＧＵＩなインタフェースであり、マウス７によるドラッグ＆ドロップ操作等により、ファイルやフォルダのコピー、移動、削除等ができるようになっている。
【００７４】
ラベル編集プログラムは、プリンタ１に印刷させるラベルの印刷データを操作者に作成させるプログラムであるが、プリンタ１に転送するレイアウトのテンプレートあるいは外字のデータを作成しファイルに保存することができる。
【００７５】
プリンタドライバプログラムは、プリンタ１の機種毎にＰＣ２にインストールされる必要があり、プリンタドライバプログラムがインストールされると、その機種名が、接続可能機種リスト記憶エリア２８に記憶される接続可能機種リストに追加される。ＲＡＭ２２に記憶される機種リストは、この接続可能機種リストのコピーに、その時点においてＰＣ２に接続されているプリンタ１を個別に識別するプリンタ名（機種名ではない。同じ機種であっても複数プリンタ１が接続されている場合、それらを個別に識別できる名称）を追加したリストである。
【００７６】
ＣＰＵ２０には、バス２６を介して、プリンタ１を含めた外部機器との通信を行うためのＵＳＢインタフェース３０と、操作者に操作画面を表示するモニタ５への画面表示を行う表示制御部３１と、操作者が入力を行うキーボード６やマウス７に接続され、それらの入力の検知を行う入力検知部３２とが、接続されている。尚、ＰＣ２には、図示外のフレキシブルディスクドライブ、音声等の入出力部、各種のインタフェース等が設けられていてもよい。
【００７７】
尚、ＣＤ−ＲＯＭ２３には、ラベル編集プログラムや、ファイル管理プログラム、各種プログラムの実行時に使用される設定やデータ等が記憶されており、導入時には、ＣＤ−ＲＯＭ２３からＨＤＤ２５に記憶されるようになっている。尚、ＰＣ２の各種プログラム及びその使用データ等の取得方法はＣＤ−ＲＯＭ２３によるものに限らず、フレキシブルディスクやＭＯといった他の記憶媒体であってもよく、また、ＰＣ２をネットワークに接続させ、ネットワーク上の他の端末等から取得してもよい。
【００７８】
次に、プリンタ１の電気的構成について説明する。プリンタ１には、プリンタ１の制御を司る不図示のＣＰＵが設けられている。このＣＰＵには、ＣＰＵが実行するプログラムを記憶した不図示のＲＯＭと、データを一時的に記憶する不図示のＲＡＭと、電源ＯＦＦ時においてもデータを記憶する不図示のＥＥＰＲＯＭとが不図示のバスを介して接続されている。プリンタ１の不図示のＥＥＰＲＯＭには、ＰＣ２から転送された後述のファイル登録リストと、ＰＣ２から転送され、ファイル登録リストに記載されているファイルとが記憶されている。
【００７９】
また、プリンタ１のＣＰＵには、キーボード１０と接続してキーボード１０からの入力を検知する不図示の入力検知部、ディスプレイ１１と接続してディスプレイ１１への表示を制御する不図示の表示制御部、不図示のサーマルヘッドやモータ等からなるテープ駆動印刷機構を駆動制御する不図示の印刷制御部、不図示のテープ切断用のカッタを駆動制御する不図示の切断制御部が不図示のバスを介して接続されている。
【００８０】
また、プリンタ１のＣＰＵには、ＰＣ２等と接続するためのＵＳＢケーブル３が接続される不図示のＵＳＢインタフェースが不図示のバスを介して接続されている。プリンタ１では、ＵＳＢケーブル３を介してＰＣ２から送信されるコマンドに応じて、各種の処理が行われる。コマンドには、印刷データに基づいて印刷を行う印刷コマンド、各種のファイルが後述のファイル登録リストと共に送信されてプリンタ１に記憶されるファイル転送コマンド、プリンタ１に記憶されている後述のファイル登録リストを読み出して送信するファイル登録リスト読み出し要求コマンド等がある。尚、ファイル転送コマンドにおいては、プリンタ１は、送られてきたファイル登録リストをそのまま記憶するのではなく、既に、それ以前に送られてきたファイル登録リストに変更を加えて更新する形で記憶する。
【００８１】
プリンタ１にて使用され、テープカセットにより提供されるテープには、感熱テープにより構成されて直接発色するテープや、インクリボンを用いて熱転写されるテープというような各種印刷方式による違いや、テープの色、文字の色、ラミネートされるか否の違い等により各種の種類がある。
【００８２】
次に、図４乃至図６を参照して、ＰＣ２においてファイル管理プログラムを実行することによって起動されるファイル管理アプリケーションについて説明する。図４は、ファイル管理アプリケーションのファイル管理画面のイメージ図である。
【００８３】
ファイル管理アプリケーション１００のファイル管理画面１１０は、プリンタ１に転送するファイルの登録、登録解除、登録結果の確認、プリンタ１へのファイル転送、プリンタ１に転送したファイルの確認等のファイル管理をするための画面である。
【００８４】
ファイル管理アプリケーション１００は、ＰＣ２のモニタ５に表示され、キーボード６やマウス７の操作により入力や指示が行われる。
【００８５】
図４に示すように、ファイル管理アプリケーション１００のファイル管理画面１１０の最上部には、「Ｔｒａｎｓｆｅｒ  Ｍａｎａｇｅｒ」という表示のタイトルバー１１１がある。その下には、操作指示を行うためのメニューバー１１５が設けられている。メニューバー１１５には、Ｆｉｌｅメニュー、Ｅｄｉｔメニュー、Ｖｉｅｗメニュー、Ｔｏｏｌメニュー、Ｈｅｌｐメニューが配されている。また、ファイル管理画面１１０のメニューバー１１５の下には、プリンタ１へのファイル転送を指示するＴｒａｎｓｆｅｒアイコン、画面への表示形式を変更するＤｉｓｐｌａｙＳｔｙｌｅアイコンが設けられている。現在、Ｔｒａｎｓｆｅｒアイコンは、グレーアウト表示されており、操作が無効であることを示している。
【００８６】
ファイル管理画面１１０の下部の左側には、プリンタ１のアイコンが表示されるプリンタ表示領域１２０がある。プリンタ表示領域１２０の最上部には、左隅から文書を表すアイコンと「Ｔｒａｎｓｆｅｒ  Ｍａｎａｇｅｒ」の文字が並んで表示されている。それらの下には、ＰＣ２を象ったアイコンと「ＰＣ（ＱＬ−１１１１）」の文字が並んで表示されている。さらにそれらの下には、ＰＣ２を象ったアイコンと「ＰＣ（ＱＬ−２２２２）」の文字が並んで表示されている。同様のアイコンと文字の組合せが、後３つ並んで表示され、文字に関しては、上から順に、「ＰＣ（ＱＬ−３３３３）」、「ＰＣ（ＱＬ−４４４４）」、「ＰＣ（ＱＬ−５５５５）」と変わっている。これにより、ＰＣ２を象ったアイコンは合わせて５つある。
【００８７】
それらの下には、さらに、用紙を排出中のプリンタ１を象ったアイコンと「ＱＬ−５５５５」の文字が並んで表示されている。尚、ＰＣ２を象ったアイコン及び用紙を排出中のプリンタ１を象ったアイコンは、プリンタ表示領域１２０の最上部の文書を表すアイコンよりも、右側に字下げされて表示され、各アイコンは点線により接続されている。
【００８８】
ここに、ＰＣ２を象ったアイコンに示される項目は、ＰＣ２に接続可能なプリンタ１の機種を表しており、例えば、「ＰＣ（ＱＬ−１１１１）」の括弧内の「ＱＬ−１１１１」は機種名を示している。以下では、ＰＣ２に接続可能なプリンタ１の機種を接続可能機種と称する（ＰＣ２を象ったアイコンは接続可能機種アイコンと称する）。また、用紙を排出中のプリンタ１を象ったアイコンに示される項目は、その時点において、ＰＣ２に接続されているプリンタ名を表しており、例えば、「ＱＬ−５５５５」はプリンタ名を示している。以下では、その時点において、ＰＣ２に接続されているプリンタ１を接続プリンタと称する（用紙を排出中のプリンタ１を象ったアイコンは接続プリンタアイコンと称する）。
【００８９】
図４に示すファイル管理画面１１０には、「ＰＣ（ＱＬ―５５５５）」という文字の項目と「ＱＬ−５５５５」という文字の項目とがあり、どちらも「ＱＬ−５５５５」を含んでいるが、「ＰＣ（ＱＬ―５５５５）」という項目の「ＱＬ−５５５５」は機種を表し、「ＱＬ―５５５５」という項目はプリンタ名を表している。例えば、「ＱＬ−５５５５」という機種のプリンタ１が２台ある場合、プリンタ名が「ＱＬ−５５５５」、「ＱＬ−５５５５−２」と区別される。また、この場合、「ＱＬ−５５５５−１」、「ＱＬ−５５５５−２」と区別されてもよい。
【００９０】
図４に示すファイル管理画面１１０には、接続可能機種が５機種あり、接続プリンタが１台あることが示されている。また、接続可能機種の内、ＱＬ−１１１１という機種が現在は選択状態にあり、それが「ＰＣ（ＱＬ−１１１１）」の文字が反転表示されることにより示されている。
【００９１】
次に、ファイル管理画面１１０の下部の右側には、プリンタ１に転送されるファイルとして登録されたファイルが一覧表示される登録ファイル表示領域１３０がある。登録ファイル表示領域１３０は、表を表示するように構成されており、登録ファイル表示領域１３０には、転送ファイルのファイル名を表す「Ｔｒａｎｓｆｅｒ  Ｎａｍｅ」項目１３１、転送ファイルの種類を表す「Ｔｙｐｅ」項目１３２、プリンタ１に転送された転送ファイルがプリンタ１のどのキーに対応するかを表す「Ｋｅｙ  Ａｓｓｉｇｎ」項目１３３がある。
【００９２】
登録ファイル表示領域１３０の最上部には、「Ｔｒａｎｓｆｅｒ  Ｎａｍｅ」項目１３１が「Ｄａｔａ＿０１」、「Ｔｙｐｅ」項目１３２が「Ｌａｙｏｕｔ」、「Ｋｅｙ  Ａｓｓｉｇｎ」項目１３３が「１」であるレコードが表示されている。その次には、「Ｔｒａｎｓｆｅｒ  Ｎａｍｅ」項目１３１が「Ｄａｔａ＿０２」、「Ｔｙｐｅ」項目１３２が「Ｌａｙｏｕｔ」、「Ｋｅｙ  Ａｓｓｉｇｎ」項目１３３が「２」であるレコードが表示されている。以下、「Ｔｒａｎｓｆｅｒ  Ｎａｍｅ」項目１３１、「Ｔｙｐｅ」項目１３２、「Ｋｅｙ  Ａｓｓｉｇｎ」項目１３３の順にて示すに、「Ｄａｔａ＿０３」、「Ｌａｙｏｕｔ」、「３」であるレコード、「Ｄａｔａ＿０４」、「Ｌａｙｏｕｔ」、「４」であるレコード、「Ｄａｔａ＿０５」、「Ｌａｙｏｕｔ」、「５」であるレコード、「Ｄａｔａ＿０６」、「Ｌａｙｏｕｔ」、「６」であるレコード、「Ｄａｔａ＿０７」、「Ｌａｙｏｕｔ」、「７」であるレコード、「Ｄａｔａ＿０８」、「Ｌａｙｏｕｔ」、「８」であるレコード、「Ｄａｔａ＿０９」、「Ｌａｙｏｕｔ」、「９」であるレコード、「Ｄａｔａ＿１０」、「Ｌａｙｏｕｔ」、「１０」であるレコード、「Ｔｅｘｔ＿０１」、「Ｔｒａｎｓｆｅｒ  Ｍｅｓｓａｇｅ」、「−」であるレコード、「Ｉｍａｇｅ＿０１」、「Ｉｍａｇｅ」、「１１」であるレコードが示されている。
【００９３】
尚、「Ｔｙｐｅ」項目１３２が「Ｌａｙｏｕｔ」のファイルは、レイアウトのテンプレートを表し、前述のラベル編集プログラムによって作成されたファイルである。このファイルには、プリンタ１のキーが割り付けられ、プリンタ１に転送後、割り付けられたキーを押下することにより、プリンタ１にてこのファイルが有するレイアウトのテンプレートが呼び出される。操作者はテンプレートに従って入力をすることにより、容易にラベルの編集データを作成できる。
【００９４】
また、「Ｔｙｐｅ」項目１３２が「Ｔｒａｎｓｆｅｒ  Ｍｅｓｓａｇｅ」のファイルは、文字列データを有する周知のテキストファイルである。この文字列データは、プリンタ１にて所定の操作がされた場合、もしくは、所定の状態になった場合等に、プリンタ１にて印刷されるメッセージとして使用される。このファイルには、プリンタ１のキーは割り付けられない。
【００９５】
また、「Ｔｙｐｅ」項目１３２が「Ｉｍａｇｅ」のファイルは、周知のイメージファイルである。このイメージデータは、ラベルの編集データを構成するイメージとして使用される。このファイルには、プリンタ１のキーが割り付けられ、プリンタ１に転送後、割り付けられたキーを押下することにより、プリンタ１にてこのファイルが有するイメージが印刷イメージとして呼び出される。
【００９６】
「Ｔｙｐｅ」項目１３２には、外字データを有するファイルを示す種別等があってもよい。
【００９７】
登録ファイル表示領域１３０に表示された登録ファイルの一覧表には、前述のプリンタ表示領域１２０にて選択状態にあるＱＬ−１１１１という機種に対して転送されるファイルとして登録されたファイルが表示されている。プリンタ表示領域１２０にて、選択状態にある項目が切り換えられると、登録ファイル表示領域１３０の表示も連動して切り換わる。プリンタ表示領域１２０にて選択される項目が接続可能機種の場合は、前述のＨＤＤ２５のファイル登録リスト記憶エリア２９に記憶された不図示のファイル登録リストが読み出されて表示される。尚、機種毎のファイル登録リストがある。
【００９８】
また、不図示のファイル登録リストには、登録ファイル表示領域１３０に表示される各項目の他に、ファイルが格納されている位置を表す不図示の「Ｐａｔｈ」項目があるが、不図示のファイル登録リストが登録ファイル表示領域１３０に表示されるに際しては「Ｐａｔｈ」項目は表示されない。
【００９９】
プリンタ表示領域１２０にて選択される項目が接続プリンタの場合は、ＨＤＤ２５のファイル登録リスト記憶エリア２９に記憶された不図示のファイル登録リストが読み出されて表示されるのではなく、該当する接続プリンタから不図示のファイル登録リストを取得して表示される。この場合の不図示のファイル登録リストには、元々「Ｐａｔｈ」項目はない。
【０１００】
尚、プリンタ表示領域１２０にて選択されている項目が接続可能機種の場合は、プリンタ表示領域１２０の上にある前述の「Ｔｒａｎｓｆｅｒ」アイコンは、グレーアウト表示からハイライト表示になり、操作者は「Ｔｒａｎｓｆｅｒ」アイコンをクリックすることにより選択中の接続可能機種に該当する接続プリンタに対し、選択中の接続可能機種に転送するとして登録したファイルが転送される。その時、選択中の接続可能機種に該当する接続プリンタが複数ある場合は、専用のダイアログ画面が開き、接続プリンタが選択されるようになっている。
【０１０１】
尚、「Ｔｒａｎｓｆｅｒ」アイコンは、プリンタ表示領域１２０にて選択されている項目が接続プリンタの場合にグレーアウト表示からハイライト表示になり、操作者は「Ｔｒａｎｓｆｅｒ」アイコンをクリックすることにより該当する接続プリンタに対し、その接続プリンタの機種に対応する接続可能機種に転送するとして登録したファイルが転送されるように構成してもよい。
【０１０２】
図４に示す例では、プリンタ表示領域１２０にあるプリンタ名が「ＱＬ−５５５５」である項目が選択状態にある時に、「Ｔｒａｎｓｆｅｒ」アイコンがクリックされると「ＱＬ−５５５５」（図４の表示では「ＰＣ（ＱＬ−５５５５）」の項目に対応する機種）という接続可能機種に転送するとして登録したファイルが転送される。
【０１０３】
また、図４では、登録ファイル表示領域１３０の「Ｋｅｙ  Ａｓｓｉｇｎ」項目１３３に、「１１」まであるが、プリンタ１は機種によりファンクションキーの数は異なる。図４は、ファイル管理画面１１０を例示したイメージ図であり、図１及び図２に示しファンクションキーを１０キー備えたプリンタ１と図４に示すＱＬ−１１１１という機種のプリンタ１とは必ずしも同一ではない。
【０１０４】
次に、図５について説明する。図５は、図４と同様にファイル管理アプリケーションのファイル管理画面のイメージ図である。但し、前述のエクスプローラからファイルをドラッグ中に表示されるファイル管理画面のイメージ図である。
【０１０５】
図５に示すように、図４との違いは、プリンタ表示領域１２０に表示される各項目の表示にある。図５では、接続可能機種を表す項目の内、「ＱＬ−１１１１」、「ＱＬ−２２２２」、「ＱＬ−４４４４」、「ＱＬ−５５５５」という機種に対応する「ＰＣ（ＱＬ−１１１１）」、「ＰＣ（ＱＬ−２２２２）」、「ＰＣ（ＱＬ−４４４４）」、「ＰＣ（ＱＬ−５５５５）」という表示（機種名以外の文字も含まれるが、以下、接続可能機種を表す項目の「機種名」と称することにする）がグレーアウトにて表示される。また、接続プリンタを表す項目である「ＱＬ−５５５５」がグレーアウトにて表示される。
【０１０６】
これは、ドラッグ中のファイルがプリンタ表示領域１２０の接続可能機種を表す項目にドロップされる操作は、ドロップされたファイルを、そのファイルをドロップされた接続可能機種に転送するよう登録することを表し、グレーアウトにて表示されている接続可能機種に対してファイルをドロップする操作は無効であることを意味している。また、ドラッグ中のファイルがプリンタ表示領域１２０の接続プリンタを表す項目にドロップされる操作は常に無効なため、ファイルのドラッグ中は、接続プリンタを表す項目をグレーアウト表示することにより、それを示している。
【０１０７】
尚、図５に示すように、ファイルドラッグ中においては、プリンタ表示領域１２０にてグレーアウト表示される項目が選択状態にある場合は、その項目が反転表示される替わりに点線にて囲まれた表示になる。但し、ハイライト表示されている項目が選択状態にある場合は、図４と同様、反転表示される。
【０１０８】
図５においては、「ＱＬ−１１１１」という機種名の接続可能機種が選択状態にあり、登録ファイル表示領域１３０に表示される不図示のファイル登録リストも「ＱＬ−１１１１」という機種に対応するファイル登録リストである。
【０１０９】
尚、エクスプローラからドラッグしてきたファイルは、プリンタ表示領域１２０に表示される接続可能機種の項目にドロップすることによってドロップされたファイルを、そのファイルをドロップされた機種に転送するよう登録する他に、登録ファイル表示領域１３０にドロップすることによってもドロップされたファイルを、登録ファイル表示領域１３０にファイル登録リストを表示されている機種に転送するよう登録することもできる。但し、これは、プリンタ表示領域１２０において、接続可能機種の項目（接続プリンタの項目ではない）が選択状態にあることが必要である。
【０１１０】
また、登録ファイル表示領域１３０に表示されているファイル（登録ファイル）を、プリンタ表示領域１２０の接続プリンタの項目（接続可能機種の項目ではない）までドラッグ＆ドロップすることにより、登録ファイルを直ちに該当する接続プリンタに転送することができる。但し、これも、プリンタ表示領域１２０において、接続可能機種の項目（接続プリンタの項目ではない）が選択状態にあることが必要である。
【０１１１】
そして、この場合、登録ファイルのドラッグ中は、プリンタ表示領域１２０において、接続可能機種の項目はグレーアウト表示となる。また、接続プリンタの項目も、ドラッグされている登録ファイルに対応しない機種である場合は、その接続プリンタの項目はグレーアウト表示となる。これは、グレーアウト表示の項目に登録ファイルをドロップしてもその操作は無効であることを示している。
【０１１２】
さらには、プリンタ表示領域１２０の接続可能機種の項目（接続プリンタの項目ではない）を、プリンタ表示領域１２０の接続プリンタの項目（接続可能機種の項目ではない）までドラッグ＆ドロップすることにより、ドロップされた接続可能機種に登録されている登録ファイルを直ちに該当する接続プリンタに転送することができる。
【０１１３】
次に、図６を参照して、図５においてエクスプローラからファイルをプリンタ表示領域１２０の接続可能機種の項目までドラッグ＆ドロップした場合に、その操作が無効であった時に表示されるダイアログ画面について説明する。図６は、ダイアログ画面のイメージ図である。
【０１１４】
図６に示すように、ダイアログ画面２００は、その最上部に「非対応ファイル」という表示のタイトルバー２０１がある。タイトルバー２０１の下には、「このファイルは指定の機種に対応していません。別の対応機種に登録する場合は、下記リストで選択してください。」という文字列が表示されている。その下には、「対応機種一覧（Ｌ）：」という文字列があり、そのさらに下に対応機種一覧表示領域２１０がある。対応機種一覧表示領域２１０には、一番上に接続可能機種アイコンと「ＰＣ（ＱＬ−２２２２）」という機種名（ＱＬ−２２２２）を備えた文字列とからなる項目があり、その下に接続可能機種アイコンと「ＰＣ（ＱＬ−３３３３）」という機種名（ＱＬ−３３３３）を備えた文字列とからなる項目、そのさらに下に接続可能機種アイコンと「ＰＣ（ＱＬ−５５５５）」という機種名（ＱＬ−５５５５）を備えた文字列とからなる項目が並び、各項目の前にはチェックボックスが表示されている。
【０１１５】
対応機種一覧表示領域２１０の下には、「ＯＫ」という表示のＯＫボタン２１１がある。図５において、ドラッグ＆ドロップしたファイルを登録したい接続可能機種の前のチェックボックスをクリックすることによりチェックし、ＯＫボタン２１１をクリックすることにより、ファイルの登録を行うことができる。チェックできる項目は、１つのみであるが、複数項目をチェックできるようにしてもよい。
【０１１６】
次に、ＰＣ２における処理について、図７乃至図１５を参照して説明する。図７は、本発明に係るファイル管理プログラムのメイン処理を示すフローチャートである。図８は、接続プリンタ検出処理を示すフローチャートである。図９は、ファイルドラッグ処理を示すフローチャートである。図１０は、ファイルドラッグ表示処理を示すフローチャートである。図１１は、プリンタアイコンドラッグ処理を示すフローチャートである。図１２は、接続可能機種アイコンドラッグ表示処理のフローチャートである。図１３は、登録ファイルドラッグ処理のフローチャートである。図１４は、登録ファイルドラッグ表示処理のフローチャートである。図１５は、プリンタ選択処理のフローチャートである。尚、以下の処理は全てＣＰＵ２０により実行される。
【０１１７】
先ず、ＰＣ２には電源が投入されており、ＨＤＤ２５のプログラム記憶エリア２７に格納されているＷｉｎｄｏｗｓ（登録商標）ＯＳのプログラムがＣＰＵ２０により実行されている。また、Ｗｉｎｄｏｗｓ（登録商標）ＯＳの備えるエクスプローラが起動されており、ファイルが表示されている。この場合に、プログラム記憶エリア２７に記憶されているファイル管理プログラムが、Ｗｉｎｄｏｗｓ（登録商標）ＯＳ上で実行されると、即ち、Ｗｉｎｄｏｗｓ（登録商標）ＯＳがＣＰＵ２０によって実行されている環境において、ファイル管理プログラムが同じくＣＰＵ２０によって実行されると、図７に示すように、Ｓ１では、初期化処理が行われる。
【０１１８】
初期化処理としては、先ず、ＲＡＭ２２の各種変数が初期化される。その中には、ＨＤＤ２５の接続可能機種リスト記憶エリア２８に記憶されている接続可能機種リストがＲＡＭ２２に機種リストとしてコピーされることも含まれる。そのため、初期状態の不図示の機種リストにはプリンタ名は全く含まれていない。また、モニタ５に表示制御部３１を介して図４に示すようなファイル管理画面１１０が表示される。その他、各種の初期化処理が行われる。それにより、ファイル管理アプリケーション１００が起動する。その後、Ｓ２に移行する。
【０１１９】
Ｓ２では、接続プリンタ検出処理が行われる。ここで、一旦、図７を参照してのメイン処理の説明を中断し、図８を参照して接続プリンタ検出処理の説明を行う。
【０１２０】
図８に示すように、Ｓ２０では、ＰＣ２への接続可能機種の接続に変化があるか否かが判断される。ＰＣ２に接続されている全てのプリンタ１からは、ＵＳＢケーブル３を介してプリンタ名と機種名が読み出される。プリンタ１から読み出されたプリンタ名が、ＲＡＭ２２に記憶された不図示の機種リストに含まれているか否かが判断され、機種リストに含まれていないと判断した場合に、さらに、プリンタ１から読み出された機種名が、同じくＲＡＭ２２に記憶された不図示の機種リストに含まれているか否かが判断され、機種リストに含まれると判断した場合は、接続可能機種がＰＣ２に接続されたと判断される。
【０１２１】
また、ＰＣ２に接続されている全てのプリンタ１からは、ＵＳＢケーブル３を介してプリンタ名と機種名が読み出された際に、ＲＡＭ２２に記憶された不図示の機種リストに含まれているが、読み出されなかったプリンタ名があるか否かが判断され、読み出されなかったプリンタ名があった場合、接続可能機種の接続が解除されたと判断される。
【０１２２】
接続可能機種がＰＣ２に接続された場合、及び、接続可能機種の接続が解除された場合、Ｓ２０においてＰＣ２への接続可能機種の接続に変化があると判断され、それ以外は、変化はないと判断される。
【０１２３】
Ｓ２０において、ＰＣ２への接続可能機種の接続に変化があると判断した場合（Ｓ２０：ＹＥＳ）は、Ｓ２１に移行し、ＰＣ２への接続可能機種の接続に変化がないと判断した場合（Ｓ２０：ＮＯ）は、接続プリンタ検出処理を終了して、図７に示すメイン処理のＳ３に移行する。
【０１２４】
Ｓ２１では、新しいプリンタ１の接続があった場合、ＲＡＭ２２の不図示の機種リストに対しプリンタ名の追加が行われ、プリンタ１の接続解除があった場合、ＲＡＭ２２の不図示の機種リストに対しプリンタ名の削除が行われる。尚、機種リストに含まれている項目は機種名なのかプリンタ名なのかは判別可能になっている。そして、更新後の機種リストに応じて、ファイル管理画面１１０のプリンタ表示領域１２０に接続プリンタの項目（接続プリンタアイコン及びプリンタ名）が追加または削除される表示の更新がなされる。その後、接続プリンタ検出処理を終了して、図７に示すメイン処理のＳ３に移行する。
【０１２５】
再び、図７に戻り続きを説明する。Ｓ３では、エクスプローラに表示されているファイルのマウス７によるドラッグ操作中か否かが判断される。ドラッグ操作中であると判断された場合（Ｓ３：ＹＥＳ）は、Ｓ４に移行し、ドラッグ操作中でないと判断された場合（Ｓ３：ＮＯ）は、Ｓ５に移行する。
【０１２６】
Ｓ４では、ファイルドラッグ処理が行われる。ここで、一旦、図７を参照してのメイン処理の説明を中断し、図９を参照してファイルドラッグ処理の説明を行う。
【０１２７】
Ｓ３０では、ファイルドラッグ表示処理を行う。ここで、一旦、図９を参照してのファイルドラッグ処理の説明を中断し、図１０を参照してファイルドラッグ表示処理の説明を行う。
【０１２８】
Ｓ５０では、ＲＡＭ２２の不図示の機種リストから機種名またはプリンタ名が１回に付き１つずつ取得される。この時の取得は、機種リストの先頭から順に行われる。その後、Ｓ５１に移行する。
【０１２９】
Ｓ５１では、接続可能機種か否かが判断される。Ｓ５１においてＲＡＭ２２の不図示の機種リストから取得した項目が機種名であるか否かにより接続可能機種であるか否かが判断される。接続可能機種であると判断された場合（Ｓ５１：ＹＥＳ）は、Ｓ５３に移行し、接続可能機種でない、即ち、接続プリンタであると判断された場合（Ｓ５１：ＮＯ）は、Ｓ５２に移行する。
【０１３０】
Ｓ５２では、ファイル管理画面１１０のプリンタ表示領域１２０に表示され、Ｓ５０にて取得した接続プリンタの項目の表示がグレーアウト（地味に表示）される。その後、Ｓ５６に移行する。
【０１３１】
Ｓ５３では、マウス７によるドラッグ操作中のファイルが接続可能機種に登録可能か否かが判断される。この判断は、ファイルがレイアウトのテンプレートのファイルである場合は、ファイルの中に対応する機種名を備えているので、それにより行われる。ファイルが、テキストファイル、または、イメージファイルである場合は、各ファイルへの対応関係がＨＤＤ２５に機種毎に記憶されており、それを参照することにより判断される。ドラッグ操作中のファイルが接続可能機種に登録可能であると判断された場合（Ｓ５３：ＹＥＳ）は、Ｓ５４に移行し、登録可能でないと判断された場合（Ｓ５３：ＮＯ）は、Ｓ５５に移行する。
【０１３２】
Ｓ５４では、ファイル管理画面１１０のプリンタ表示領域１２０に表示され、Ｓ５０にて取得した接続可能機種の項目の表示がハイライト（点灯）表示される。その後、Ｓ５６に移行する。
【０１３３】
Ｓ５５では、ファイル管理画面１１０のプリンタ表示領域１２０に表示され、Ｓ５０にて取得した接続可能機種の項目の表示がグレーアウト（地味に表示）される。その後、Ｓ５６に移行する。
【０１３４】
Ｓ５６では、ＲＡＭ２２の不図示の機種リストから機種名及びプリンタ名が全てチェックされたか否かが判断される。全てチェックされたと判断した場合（Ｓ５６：ＹＥＳ）は、ファイルドラッグ表示処理を終了して、図９に示すファイルドラッグ処理のＳ３１に移行する。全てチェックされたわけでなないと判断した場合（Ｓ５６：ＮＯ）は、Ｓ５０に移行して前述の処理が繰り返される。
【０１３５】
再び、図９に戻り続きを説明する。Ｓ３１では、マウス７によるドラッグ中のファイルがファイル管理画面１１０のプリンタ表示領域１２０にある接続可能機種の項目（接続可能機種アイコンまたは機種名）であって、接続可能機種の項目にドロップされたか否かが判断される。接続可能機種の項目にドロップされたと判断された場合（Ｓ３１：ＹＥＳ）は、Ｓ３４に移行し、接続可能機種の項目にドロップされなかったと判断された場合（Ｓ３１：ＮＯ）は、Ｓ３２に移行する。
【０１３６】
Ｓ３２では、マウス７によるドラッグ中のファイルがファイル管理画面１１０の登録ファイル表示領域１３０にドロップされた場合であって、プリンタ表示領域１２０において接続可能機種の項目が選択されていて登録ファイル表示領域１３０にその接続可能機種に対して転送されるファイルが表示されている状態か否かが判断される。ファイルが登録ファイル表示領域１３０にドロップされ、登録ファイル表示領域１３０に接続可能機種に対して転送されるファイルが表示されている状態と判断された場合（Ｓ３２：ＹＥＳ）は、Ｓ３４に移行する。ファイルが登録ファイル表示領域１３０にドロップされなかった、または、ファイルが登録ファイル表示領域１３０にドロップされた場合であって、登録ファイル表示領域１３０に接続プリンタに保存されているファイルが表示されている状態と判断された場合（Ｓ３２：ＮＯ）は、Ｓ３３に移行する。
【０１３７】
Ｓ３３では、マウス７によるドラッグ中のファイルがファイル管理画面１１０のプリンタ表示領域１２０にある接続可能機種の項目、及び、プリンタ表示領域１２０における接続可能機種の項目選択中の登録ファイル表示領域１３０以外にドロップされたか否かが判断される。それら以外にドロップされた、即ち、どこかにはドロップされたと判断した場合（Ｓ３３：ＹＥＳ）は、前述のファイルドラッグ表示処理（図１０参照）にてグレーアウト表示にされたプリンタ表示領域１２０の接続可能機種または接続プリンタの項目がハイライト表示に戻された上で、ファイルドラッグ処理を終了して、図７に示すメイン処理のＳ２に移行する。マウス７によるドラッグ中のファイルがファイル管理画面１１０の登録ファイル表示領域１３０にある接続可能機種の項目、及び、プリンタ表示領域１２０における接続可能機種の項目選択中の登録ファイル表示領域１３０以外にドロップされなかった、即ち、ファイルはどこにもドロップされなかったと判断した場合（Ｓ３３：ＮＯ）は、Ｓ３１に移行して前述の処理が繰り返される。
【０１３８】
ファイルがプリンタ表示領域１２０の接続可能機種の項目までドラッグ＆ドロップされると、ドロップされたファイルとファイルがドロップされた接続可能機種とは一時的に関連付けられる。また、ファイルが登録ファイル表示領域１３０にドロップされ、登録ファイル表示領域１３０に接続可能機種に対して転送されるファイルが表示されている状態では、ドロップされたファイルと登録ファイル表示領域１３０に登録ファイルが表示されている接続可能機種とが一時的に関連付けられる。Ｓ３４では、その関連付けられたファイルと接続可能機種とが互いに対応しているか否かが判断される。
【０１３９】
この判断は、ファイルがレイアウトのテンプレートのファイルである場合は、ファイルの中に対応する機種名を備えているので、それにより行われる。ファイルが、テキストファイル、または、イメージファイルである場合は、各ファイルへの対応関係がＨＤＤ２５に機種毎に記憶されており、それを参照することにより判断される。関連付けられたファイルと接続可能機種とが互いに対応していると判断された場合（Ｓ３４：ＹＥＳ）は、Ｓ３５に移行し、関連付けられたファイルと接続可能機種とが互いに対応していないと判断された場合（Ｓ３４：ＮＯ）は、Ｓ３６に移行する。
【０１４０】
Ｓ３５では、ドロップされたファイルが、ＨＤＤ２５のファイル登録リスト記憶エリア２９に記憶されておりファイルがドロップされた接続可能機種のファイル登録リストに登録される。その後、前述のファイルドラッグ表示処理（図１０参照）にてグレーアウト表示にされたプリンタ表示領域１２０の接続可能機種または接続プリンタの項目がハイライト表示に戻された上で、ファイルドラッグ処理を終了して、図７に示すメイン処理のＳ２に移行する。
【０１４１】
但し、Ｓ３５において、プリンタ１のファンクションキーに対応付け可能なファイル数は、ファイルの種類毎及びプリンタ１の機種毎に決まっている。しかし、ファンクションキーに対応付けられていないファイルとして登録することは可能である。その場合のファイル数には実質的な制限はない。
【０１４２】
ファイルドラッグ操作にて、ファイルが接続可能機種の項目にドロップされた場合であって、ファイルの種類毎及びプリンタ１の機種毎に決まっているファイル数が満たされていない時は、登録ファイル表示領域１３０の「Ｔｒａｎｓｆｅｒ  Ｎａｍｅ」項目１３１が空欄のレコードに、ドロップされたファイルは登録される。その時、そのレコードの「Ｋｅｙ  Ａｓｓｉｇｎ」項目１３３には、「Ｋｅｙ  Ａｓｓｉｇｎ」項目１３３にて未使用の番号が勝手に割り付けられる。ファイルが接続可能機種の項目にドロップされた場合であって、ファイルの種類毎及びプリンタ１の機種毎に決まっているファイル数が満たされている時も、登録ファイル表示領域１３０の「Ｔｒａｎｓｆｅｒ  Ｎａｍｅ」項目１３１が空欄のレコードに、ドロップされたファイルは登録される。但し、そのレコードの「Ｋｅｙ  Ａｓｓｉｇｎ」項目１３３は空欄のままである。この場合は、「Ｔｙｐｅ」項目１３２が一致する既に登録済みのファイルが、ドロップされたファイルに置き換えられるように構成してもよい。
【０１４３】
また、ファイルドラッグ操作にて、ファイルが登録ファイル表示領域１３０にドロップされた場合であって、ファイルの種類毎及びプリンタ１の機種毎に決まっているファイル数が満たされていない時は、Ｓ３５において、登録ファイル表示領域１３０の「Ｔｒａｎｓｆｅｒ  Ｎａｍｅ」項目１３１が空欄のレコードに、ドロップされたファイルは登録される。尚、同じ条件にある時、「Ｔｒａｎｓｆｅｒ  Ｎａｍｅ」項目１３１が空欄のレコードにファイルがドロップされた場合は、そのレコードに、ドロップされたファイルが登録される。何れの場合も、ファイルが登録されるレコードの「Ｋｅｙ  Ａｓｓｉｇｎ」項目１３３には、「Ｋｅｙ  Ａｓｓｉｇｎ」項目１３３にて未使用の番号が勝手に割り付けられる。
【０１４４】
ファイルが登録ファイル表示領域１３０にドロップされた場合であって、ファイルの種類毎及びプリンタ１の機種毎に決まっているファイル数が満たされている時も、登録ファイル表示領域１３０の「Ｔｒａｎｓｆｅｒ  Ｎａｍｅ」項目１３１が空欄のレコードに、ドロップされたファイルは登録される。但し、そのレコードの「Ｋｅｙ  Ａｓｓｉｇｎ」項目１３３は空欄のままである。尚、「Ｔｙｐｅ」項目１３２が一致する既に登録済みのファイルが、ドロップされたファイルに置き換えられるように構成してもよい。その場合、ファイルがドロップされたレコードの「Ｔｙｐｅ」項目１３２が、ファイルの「Ｔｙｐｅ」と一致する時は、そのレコードに、ドロップされたファイルが換わって登録される。
【０１４５】
また、Ｓ３６では、ＲＡＭ２２の不図示の機種リストから、ドロップされたファイルを登録可能な接続可能機種が抽出される。ファイルがレイアウトのテンプレートのファイルである場合は、ファイルの中に対応する機種名が備えられているので、それが参照される。ファイルが、テキストファイル、または、イメージファイルである場合は、各ファイルへの対応関係がＨＤＤ２５に機種毎に記憶されており、それが参照される。
【０１４６】
その後、Ｓ３７に移行する。
【０１４７】
Ｓ３７では、図６のようなダイアログ画面２００が表示制御部３１を介してモニタ５に表示される。その時、ダイアログ画面２００の対応機種一覧表示領域２１０には、Ｓ３６にて抽出された機種が選択肢として表示される。その後、Ｓ３８に移行する。
【０１４８】
Ｓ３８では、操作者からのダイアログ画面２００に対する各種の操作が受け付けられる。ダイアログ画面２００では、対応機種一覧表示領域２１０に表示される各選択肢の前にあるチェックボックスをクリックすることによってチェックしたり、ＯＫボタン２１１をクリックしたりすることができる。ダイアログ画面２００のＯＫボタン２１１がクリックされたりしてダイアログ画面２００が閉じられるとＳ３９に移行する。
【０１４９】
Ｓ３９では、Ｓ３８において、接続可能機種が選択されたか否かが判断される。それには、Ｓ３８において、ダイアログ画面２００の対応機種一覧表示領域２１０の何れかの選択肢がチェックされた状態で、ＯＫボタン２１１がクリックされたことによりＳ３９に移行して来たか否かが判断される。選択可能機種が選択されたと判断した場合（Ｓ３９：ＹＥＳ）は、Ｓ４０に移行し、選択可能機種が選択されなかったと判断した場合（Ｓ３９：ＮＯ）は、前述のファイルドラッグ表示処理（図１０参照）にてグレーアウト表示にしたプリンタ表示領域１２０の接続可能機種または接続プリンタの項目がハイライト表示に戻された上で、ファイルドラッグ処理を終了して、図７に示すメイン処理のＳ２に移行する。
【０１５０】
Ｓ４０では、ドロップされたファイルが、ＨＤＤ２５のファイル登録リスト記憶エリア２９に記憶されておりＳ３８において選択された接続可能機種のファイル登録リストに登録される。その後、前述のファイルドラッグ表示処理（図１０参照）にてグレーアウト表示にされたプリンタ表示領域１２０の接続可能機種または接続プリンタの項目がハイライト表示に戻された上で、ファイルドラッグ処理を終了して、図７に示すメイン処理のＳ２に移行する。
【０１５１】
再び、図７に戻り続きを説明する。Ｓ５では、ファイル管理画面１１０のプリンタ表示領域１２０に表示される接続可能機種アイコンまたは接続プリンタアイコンのマウス７によるドラッグ操作中か否かが判断される。ドラッグ操作中であると判断された場合（Ｓ５：ＹＥＳ）は、Ｓ６に移行し、ドラッグ操作中でないと判断された場合（Ｓ５：ＮＯ）は、Ｓ７に移行する。
【０１５２】
Ｓ６では、プリンタアイコンドラッグ処理が行われる。ここで、一旦、図７を参照してのメイン処理の説明を中断し、図１１を参照してプリンタアイコンドラッグ処理の説明を行う。
【０１５３】
Ｓ６０では、ドラッグ中のアイコンが接続可能機種アイコンか否かが判断される。ドラッグ中のアイコンが接続可能機種アイコンであると判断した場合（Ｓ６０：ＹＥＳ）は、Ｓ６２に移行し、ドラッグ中のアイコンが接続可能機種アイコンでない、即ち、接続プリンタアイコンであると判断した場合（Ｓ６０：ＮＯ）は、ファイル管理画面１１０のプリンタ表示領域１２０に表示される接続可能機種の項目及び接続プリンタの項目が全てグレーアウト表示される。その後、Ｓ６１に移行する。
【０１５４】
Ｓ６１では、マウス７によるドラッグ中の接続プリンタアイコンがドロップされたと判断した場合（Ｓ６１：ＹＥＳ）は、前述のグレーアウト表示にしたプリンタ表示領域１２０の接続可能機種または接続プリンタの項目がハイライト表示に戻された上で、プリンタアイコンドラッグ処理を終了して、図７に示すメイン処理のＳ２に移行する。Ｓ６１において、マウス７によるドラッグ中の接続プリンタアイコンがドロップされていないと判断した場合（Ｓ６１：ＮＯ）は、Ｓ６１に戻り、前述の処理が再び繰り返される。
【０１５５】
Ｓ６２では、接続可能機種アイコンドラッグ表示処理を行う。ここで、一旦、図１１を参照してのプリンタアイコンドラッグ処理の説明を中断し、図１２を参照して接続可能機種アイコンドラッグ表示処理の説明を行う。
【０１５６】
Ｓ７０では、ＲＡＭ２２の不図示の機種リストから機種名またはプリンタ名が１回に付き１つずつ取得される。この時の取得は、機種リストの先頭から順に行われる。その後、Ｓ７１に移行する。
【０１５７】
Ｓ７１では、接続可能機種か否かが判断される。Ｓ７１においてＲＡＭ２２の不図示の機種リストから取得した項目が機種名であるか否かにより接続可能機種であるか否かが判断される。接続可能機種であると判断された場合（Ｓ７１：ＹＥＳ）は、Ｓ７２に移行し、接続可能機種でない、即ち、接続プリンタであると判断された場合（Ｓ７１：ＮＯ）は、Ｓ７３に移行する。
【０１５８】
Ｓ７２では、ファイル管理画面１１０のプリンタ表示領域１２０に表示され、Ｓ７０にて取得された接続可能機種の項目の表示がグレーアウト（地味に表示）される。その後、Ｓ７６に移行する。
【０１５９】
Ｓ７３では、マウス７によるドラッグ操作中の接続可能機種アイコンが示すプリンタ１の機種がＳ７０にて取得された接続プリンタの機種と同一か否かが判断される。本実施形態では、接続プリンタのプリンタ名はプリンタ１の機種名と同一かプリンタ１の機種名に所定の番号が付加されるようになっているため、それにより、ドラッグ操作中の接続可能機種アイコンが示すプリンタ１の機種がＳ７０にて取得された接続プリンタの機種と同一か否かは判断できる。ドラッグ操作中の接続可能機種アイコンが示すプリンタ１の機種がＳ７０にて取得された接続プリンタの機種と同一であると判断した場合（Ｓ７３：ＹＥＳ）は、Ｓ７４に移行し、ドラッグ操作中の接続可能機種アイコンが示すプリンタ１の機種がＳ７０にて取得された接続プリンタの機種と同一でないと判断した場合（Ｓ７３：ＮＯ）は、Ｓ７５に移行する。
【０１６０】
Ｓ７４では、ファイル管理画面１１０のプリンタ表示領域１２０に表示され、Ｓ７０にて取得された接続プリンタの項目の表示がハイライト（点灯）表示される。その後、Ｓ７６に移行する。
【０１６１】
Ｓ７５では、ファイル管理画面１１０のプリンタ表示領域１２０に表示され、Ｓ７０にて取得した接続プリンタの項目の表示がグレーアウト（地味に表示）される。その後、Ｓ７６に移行する。
【０１６２】
Ｓ７６では、ＲＡＭ２２の不図示の機種リストから機種名及びプリンタ名が全てチェックされたか否かが判断される。全てチェックされたと判断した場合（Ｓ７６：ＹＥＳ）は、接続可能機種アイコンドラッグ表示処理を終了して、図１１に示すプリンタアイコンドラッグ処理のＳ６３に移行する。全てチェックされたわけでないと判断した場合（Ｓ７６：ＮＯ）は、Ｓ７０に移行して前述の処理が繰り返される。
【０１６３】
再び、図１１に戻り続きを説明する。Ｓ６３では、マウス７によるドラッグ中の接続可能機種アイコンがファイル管理画面１１０のプリンタ表示領域１２０にある接続プリンタの項目（接続プリンタアイコンまたはプリンタ名）であって、ハイライト表示されている接続プリンタの項目にドロップされたか否かが判断される。ハイライト表示されている接続プリンタの項目にドロップされたと判断した場合（Ｓ６３：ＹＥＳ）は、Ｓ６５に移行し、ハイライト表示されている接続プリンタの項目にドロップされなかったと判断した場合（Ｓ６３：ＮＯ）は、Ｓ６４に移行する。
【０１６４】
尚、接続可能機種アイコンがプリンタ表示領域１２０の接続プリンタの項目までドラッグ＆ドロップされると、ドロップされた接続可能機種アイコンの示す接続機種と、接続可能機種アイコンがドロップされた接続プリンタとは一時的に関連付けられる。Ｓ６３では、その関連付けられた接続可能機種と接続プリンタとが互いに対応しているか否かが判断される。
【０１６５】
Ｓ６５では、接続可能機種アイコンがドロップされた接続プリンタに対し、ＨＤＤ２５のファイル登録リスト記憶エリア２９に記憶されており接続可能機種アイコンに示される接続可能機種のファイル登録リスト、及び、そのファイル登録リストに記載のファイルがＵＳＢケーブル３を介して転送される。その後、前述の接続可能機種アイコンドラッグ表示処理（図１２参照）にてグレーアウト表示にされたプリンタ表示領域１２０の接続可能機種または接続プリンタの項目がハイライト表示に戻された上で、プリンタアイコンドラッグ処理を終了して、図７に示すメイン処理のＳ２に移行する。
【０１６６】
Ｓ６４では、マウス７によるドラッグ中の接続可能機種アイコンがファイル管理画面１１０のプリンタ表示領域１２０にあってハイライト表示されている接続プリンタの項目以外にドロップされたか否かが判断される。それら以外にドロップされた、即ち、どこかにはドロップされたと判断した場合（Ｓ６４：ＹＥＳ）は、前述の接続可能機種アイコンドラッグ表示処理（図１２参照）にてグレーアウト表示にされたプリンタ表示領域１２０の接続可能機種または接続プリンタの項目がハイライト表示に戻された上で、プリンタアイコンドラッグ処理を終了して、図７に示すメイン処理のＳ２に移行する。マウス７によるドラッグ中の接続可能機種アイコンがファイル管理画面１１０のプリンタ表示領域１２０にあってハイライト表示されている接続プリンタの項目以外にドロップされなかった、即ち、ファイルはドロップされなかったと判断した場合（Ｓ６４：ＮＯ）は、Ｓ６３に移行して前述の処理が繰り返される。
【０１６７】
再び、図７に戻り続きを説明する。Ｓ７では、ファイル管理画面１１０の登録ファイル表示領域１３０の「Ｔｒａｎｓｆｅｒ  Ｎａｍｅ」項目１３１に表示されている登録ファイルのマウス７によるドラッグ操作中か否かが判断される。ドラッグ操作中であると判断した場合（Ｓ７：ＹＥＳ）は、Ｓ８に移行し、ドラッグ操作中でないと判断した場合（Ｓ７：ＮＯ）は、Ｓ９に移行する。
【０１６８】
Ｓ８では、ファイルドラッグ処理が行われる。ここで、一旦、図７を参照してのメイン処理の説明を中断し、図１３を参照して登録ファイルドラッグ処理の説明を行う。
【０１６９】
Ｓ８０では、登録ファイルドラッグ表示処理を行う。ここで、一旦、図１３を参照しての登録ファイルドラッグ処理の説明を中断し、図１４を参照して登録ファイルドラッグ表示処理の説明を行う。
【０１７０】
Ｓ９０では、ＲＡＭ２２の不図示の機種リストから機種名またはプリンタ名が１回に付き１つずつ取得される。この時の取得は、機種リストの先頭から順に行われる。その後、Ｓ９１に移行する。
【０１７１】
Ｓ９１では、接続可能機種か否かが判断される。Ｓ９１においてＲＡＭ２２の不図示の機種リストから取得した項目が機種名であるか否かにより接続可能機種であるか否かが判断される。接続可能機種であると判断した場合（Ｓ９１：ＹＥＳ）は、Ｓ９２に移行し、接続可能機種でない、即ち、接続プリンタであると判断した場合（Ｓ９１：ＮＯ）は、Ｓ９３に移行する。
【０１７２】
Ｓ９２では、ファイル管理画面１１０のプリンタ表示領域１２０に表示され、Ｓ９０にて取得した接続可能機種の項目の表示がグレーアウト（地味に表示）される。その後、Ｓ９６に移行する。
【０１７３】
Ｓ９３では、マウス７によるドラッグ操作中の登録ファイルが転送可能か否かが判断される。この判断は、ファイルがレイアウトのテンプレートのファイルである場合は、ファイルの中に対応する機種名が備えられているので、それにより行われる。ファイルが、テキストファイル、または、イメージファイルである場合は、各ファイルへの対応関係がＨＤＤ２５に機種毎に記憶されており、それを参照することにより判断される。ドラッグ操作中の登録ファイルが転送可能であると判断した場合（Ｓ９３：ＹＥＳ）は、Ｓ９４に移行し、ドラッグ操作中の登録ファイルが転送可能でないと判断した場合（Ｓ９３：ＮＯ）は、Ｓ９５に移行する。
【０１７４】
Ｓ９４では、ファイル管理画面１１０のプリンタ表示領域１２０に表示され、Ｓ９０にて取得した接続プリンタの項目の表示がハイライト（点灯）表示される。その後、Ｓ９６に移行する。
【０１７５】
Ｓ９５では、ファイル管理画面１１０のプリンタ表示領域１２０に表示され、Ｓ９０にて取得した接続プリンタの項目の表示がグレーアウト（地味に表示）される。その後、Ｓ９６に移行する。
【０１７６】
Ｓ９６では、ＲＡＭ２２の不図示の機種リストから機種名及びプリンタ名が全てチェックされたか否かが判断される。全てチェックされたと判断した場合（Ｓ９６：ＹＥＳ）は、登録ファイルドラッグ表示処理を終了して、図１３に示す登録ファイルドラッグ処理のＳ８１に移行する。全てチェックされたわけでないと判断した場合（Ｓ９６：ＮＯ）は、Ｓ９０に移行して前述の処理が繰り返される。
【０１７７】
再び、図１３に戻り続きを説明する。Ｓ８１では、マウス７によるドラッグ中の登録ファイルがファイル管理画面１１０のプリンタ表示領域１２０にある接続プリンタの項目（接続プリンタアイコンまたはプリンタ名）であって、ハイライト表示されている接続プリンタの項目にドロップされたか否かが判断される。ハイライト表示されている接続プリンタの項目にドロップされたと判断した場合（Ｓ８１：ＹＥＳ）は、Ｓ８３に移行し、ハイライト表示されている接続プリンタの項目にドロップされなかったと判断した場合（Ｓ８１：ＮＯ）は、Ｓ８２に移行する。
【０１７８】
尚、登録ファイルがプリンタ表示領域１２０の接続プリンタの項目までドラッグ＆ドロップされると、ドロップされた登録ファイルと、登録ファイルがドロップされた接続プリンタとは一時的に関連付けられる。Ｓ８１では、その関連付けられた登録ファイルと接続プリンタとが互いに対応しているか否かが判断される。
【０１７９】
Ｓ８３では、登録ファイルがドロップされた接続プリンタに対し、ＨＤＤ２５のファイル登録リスト記憶エリア２９に記憶されており接続可能機種アイコンに示される接続可能機種のファイル登録リストの該当レコード、及び、そのレコードに記載のファイルがＵＳＢケーブル３を介して転送される。その後、前述の登録ファイルドラッグ表示処理（図１４参照）にてグレーアウト表示されたプリンタ表示領域１２０の接続可能機種または接続プリンタの項目がハイライト表示に戻された上で、登録ファイルドラッグ処理を終了して、図７に示すメイン処理のＳ２に移行する。
【０１８０】
Ｓ８２では、マウス７によるドラッグ中の登録ファイルがファイル管理画面１１０のプリンタ表示領域１２０にあってハイライト表示されている接続プリンタの項目以外にドロップされたか否かが判断される。それら以外にドロップされた、即ち、どこかにはドロップされたと判断した場合（Ｓ８２：ＹＥＳ）は、前述の登録ファイルドラッグ表示処理（図１４参照）にてグレーアウト表示にされたプリンタ表示領域１２０の接続可能機種または接続プリンタの項目がハイライト表示に戻された上で、登録ファイルドラッグ処理を終了して、図７に示すメイン処理のＳ２に移行する。マウス７によるドラッグ中の登録ファイルがファイル管理画面１１０のプリンタ表示領域１２０にあってハイライト表示されている接続プリンタの項目以外にドロップされなかった、即ち、ファイルはドロップされなかったと判断した場合（Ｓ８２：ＮＯ）は、Ｓ８１に移行して前述の処理が繰り返される。
【０１８１】
再び、図７に戻り続きを説明する。Ｓ９では、ファイル管理画面１１０のプリンタ表示領域１２０に表示される接続可能機種の項目または接続プリンタの項目のマウス７によるクリック操作か否かが判断される。クリック操作であると判断した場合（Ｓ９：ＹＥＳ）は、Ｓ１０に移行し、クリック操作でないと判断した場合（Ｓ９：ＮＯ）は、Ｓ１１に移行する。
【０１８２】
Ｓ１０では、プリンタ選択処理が行われる。ここで、一旦、図７を参照してのメイン処理の説明を中断し、図１５を参照してプリンタ選択処理の説明を行う。
【０１８３】
Ｓ１００では、ファイル管理画面１１０のプリンタ表示領域１２０に表示される接続可能機種の項目または接続プリンタの項目の内、図７のＳ９においてクリック操作されたと判断された項目が反転表示されて選択状態にされる。クリック操作されなかった項目は通常の表示に戻される。その後、Ｓ１０１に移行する。
【０１８４】
Ｓ１０１では、クリック操作された項目が、接続可能機種の項目か否かが判断される。接続可能機種の項目であると判断した場合（Ｓ１０１：ＹＥＳ）は、ＨＤＤ２５のファイル登録リスト記憶エリア２９からクリック操作された接続可能機種に該当する機種のファイル登録リストが読み出された上、Ｓ１０３に移行し、接続可能機種の項目でない、即ち、接続プリンタの項目であると判断した場合（Ｓ１０１：ＮＯ）は、Ｓ１０２に移行する。
【０１８５】
Ｓ１０１から移行したＳ１０３では、ＨＤＤ２５のファイル登録リスト記憶エリア２９から読み出されたファイル登録リストがファイル管理画面１１０の登録ファイル表示領域１３０に表示される。
【０１８６】
Ｓ１０２では、クリック操作により選択された接続プリンタからファイル登録リストが取得される。それは、ＰＣ２からプリンタ１に対し、ファイル登録リスト読み出し要求コマンドが送信され、それに応じて、プリンタ１からファイル登録リストが送り返されることにより行われる。その後、Ｓ１０３に移行する。
【０１８７】
Ｓ１０２から移行したＳ１０３では、プリンタ１から読み出されたファイル登録リストがファイル管理画面１１０の登録ファイル表示領域１３０に表示される。
【０１８８】
Ｓ１０３の終了後は、プリンタ選択処理を終了し、図７に示すメイン処理のＳ２に移行する。
【０１８９】
再び、図７に戻り続きを説明する。Ｓ１１では、その他の処理が行われる。その他の処理には、ファイル管理画面１１０の登録ファイル表示領域１３０の「Ｋｅｙ  Ａｓｓｉｇｎ」項目１３３に表示されるキーの番号を変更したり、登録ファイル表示領域１３０にて複数のファイルが選択されたりすることが含まれる。尚、登録ファイル表示領域１３０にて複数のファイルが選択された状態にて、その複数のファイルがプリンタ表示領域１２０の接続プリンタの項目までドラッグ＆ドロップされた場合、複数のファイルが接続プリンタに送信される。その後、Ｓ２に移行し、前述の処理が繰り返される。
【０１９０】
以上により、プリンタ１に対してファイルの転送を設定するに際し、１つの画面にて、ファイルの転送を設定することができる。また、マウス７によってエクスプローラからファイルをドラッグ＆ドロップをすることによりファイルの転送を設定できるので、操作回数も少なくすむ。また、ＣＰＵ２０がプリンタ１とファイルとが対応しているか否かを判断するので、予めプリンタ１に転送される候補に成り得るファイルを分類毎にフォルダに分けて管理する必要はない。
【０１９１】
また、ファイル管理画面１１０の登録ファイル表示領域１３０にて転送するように登録されたファイルを確認することができる。
【０１９２】
また、エクスプローラからファイル管理画面１１０の登録ファイル表示領域１３０にファイルをドラッグ＆ドロップすることによってもファイルの転送を設定でき、操作性が向上する。
【０１９３】
また、ファイル管理画面１１０のプリンタ表示領域１２０においてＰＣ２に現在接続されているプリンタ１が識別されるように表示されるので、現在ファイルを転送可能なプリンタ１を把握することができる。
【０１９４】
また、ファイル管理画面１１０のプリンタ表示領域１２０に表示されている接続可能機種アイコンをプリンタ表示領域１２０に表示されている接続プリンタの項目までドラッグ＆ドロップすることにより、接続可能機種アイコンをドロップされた接続プリンタに対して、接続可能機種に登録されていた登録ファイルを直ちに転送することができる。
【０１９５】
また、登録ファイル表示領域１３０に表示されている登録ファイルをプリンタ表示領域１２０の接続プリンタの項目までドラッグ＆ドロップすることにより接続プリンタに対して直ちに登録ファイルを転送することができる。
【０１９６】
また、互いに関連付けられたプリンタ１とファイルとが対応していないと判断された場合に操作者に警告することができ、操作者は操作が無効であったことを知ることができる。
【０１９７】
また、マウス７によりエクスプローラからファイルがドラッグされている間、ファイルに対応する接続可能機種としてＣＰＵ２０により抽出されなかった接続可能機種をグレーアウト表示する。これにより、無効な操作が減り、操作性が向上する。
【０１９８】
また、互いに関連付けられたプリンタ１とファイルとが対応していないと判断された場合、ＣＰＵ２０により抽出されたプリンタ１にファイルを登録するか否かを操作者に確認させる。これにより、無効な操作をしてしまった際に、有効な操作に成り得るプリンタ１が抽出されるので、操作者は無効な操作を繰り返すことがなく、操作性が向上する。
【０１９９】
尚、本発明は本実施形態に限定されることはなく、本発明の要旨を逸脱しない範囲内で種々の改良、変形が可能であることは勿論である。
【０２００】
マウス７でなく、トラックボールでもよい。また、タッチパネルからなるモニタ５に対するペン入力あるいは指による入力でもよい。
【０２０１】
本実施形態では、図１０のファイルドラッグ表示処理のＳ５２において、接続プリンタの項目をグレーアウト（地味に表示）し、Ｓ５４において、接続可能機種の項目をハイライト（点灯）表示し、Ｓ５５において、接続可能機種の項目をグレーアウト（地味に表示）した。それらに換え、Ｓ５４だけ、接続可能機種の項目をハイライト（点灯）表示にしてもよい。または、Ｓ５２において、接続プリンタの項目をハイライト（点灯）表示し、Ｓ５４において、接続可能機種の項目を点滅表示し、Ｓ５５において、接続可能機種の項目をハイライト（点灯）表示してもよい。
【０２０２】
また、本実施形態では、図１２の接続可能機種アイコンドラッグ表示処理のＳ７２において、接続可能機種の項目をグレーアウト（地味に表示）し、Ｓ７４において、接続プリンタの項目をハイライト（点灯）表示し、Ｓ７５において、接続プリンタの項目をグレーアウト（地味に表示）した。それらに換え、Ｓ７４だけ、接続プリンタの項目を点滅表示にしてもよい。または、Ｓ７２において、接続可能機種の項目をハイライト（点灯）表示し、Ｓ７４において、接続プリンタの項目を点滅表示し、Ｓ７５において、接続プリンタの項目をハイライト（点灯）表示してもよい。
【０２０３】
また、本実施形態では、図１４の登録ファイルドラッグ表示処理のＳ９２において、接続可能機種の項目をグレーアウト（地味に表示）し、Ｓ９４において、接続プリンタの項目をハイライト（点灯）表示し、Ｓ９５において、接続プリンタの項目をグレーアウト（地味に表示）した。それらに換え、Ｓ９４だけ、接続プリンタの項目を点滅表示にしてもよい。または、Ｓ９２において、接続可能機種の項目をハイライト（点灯）表示し、Ｓ９４において、接続プリンタの項目を点滅表示し、Ｓ９５において、接続プリンタの項目をハイライト（点灯）表示してもよい。
【０２０４】
これにより、マウス７によりエクスプローラからファイルがドラッグされている間、ファイルに対応する接続可能機種としてＣＰＵ２０により抽出された接続可能機種を点滅表示するので、無効な操作が減り、操作性が向上する。
【０２０５】
本実施形態では、ファイル管理画面１１０のプリンタ表示領域１２０に表示される接続可能機種の項目は、あくまで、プリンタ１の機種に対応していたが、同じ機種であっても、接続されるプリンタ毎に別の項目になるように、接続可能プリンタの項目とし、プリンタ一台毎に異なるファイルの組合せを転送するファイルとして登録するように構成してもよい。さらに、その場合、本実施形態では、接続可能機種の項目と接続プリンタの項目とは別の項目としているが、同じプリンタ１は１つの項目にて表示するように構成してもよい。その時は、実際にＰＣ２に接続されているプリンタ１の項目は、アイコンの形や色を変えたりして識別可能に表示することが望ましい。
【０２０６】
本実施形態では、禁じられているが、エクスプローラからファイルをファイル管理画面１１０のプリンタ表示領域１２０に表示されている接続プリンタの項目まで、マウス７によってドラッグ＆ドロップするようにしてもよい。その場合、ファイルは直接、接続されているプリンタ１に送信される。また、その場合、接続プリンタの機種に対応する接続可能機種のファイル登録リストに、送信したファイルを登録してもよい。
【０２０７】
本実施形態では、禁じられているが、ファイル管理画面１１０のプリンタ表示領域１２０にて接続プリンタの項目が選択状態にあり、登録ファイル表示領域１３０にその接続プリンタに記憶されているファイルの状態が表示されている場合において、エクスプローラからファイルを、その登録ファイル表示領域１３０まで、マウス７によってドラッグ＆ドロップするようにしてもよい。その場合、ファイルは直接、その選択状態にある接続されているプリンタ１に送信される。また、その場合、選択状態にある接続プリンタの機種に対応する接続可能機種のファイル登録リストに、送信したファイルを登録してもよい。
【０２０８】
また、本実施形態では、禁じられているが、ファイル管理画面１１０のプリンタ表示領域１２０にて、接続可能機種のアイコンを別の接続可能機種の項目まで、マウス７によってドラッグ＆ドロップするようにしてもよい。その場合、ドラッグされる接続機種に転送するとして登録されているファイルが、別の接続可能機種に転送されるファイルとして登録される。
【０２０９】
本実施形態では、禁じられているが、ファイル管理画面１１０のプリンタ表示領域１２０にて接続可能機種の項目が選択状態にあり、登録ファイル表示領域１３０にその接続可能機種のファイル登録リストが表示されている場合において、登録ファイル表示領域１３０に表示されているファイル登録リストの内、「Ｔｒａｎｓｆｅｒ  Ｎａｍｅ」項目１３１に表示されているファイルを、ファイル管理画面１１０のプリンタ表示領域１２０の選択状態にある接続可能機種とは別の接続可能機種の項目までドラッグ＆ドロップするようにしてもよい。その場合、この別の接続可能機種に、ドラッグ＆ドロップされたファイルが転送されるファイルとして登録される。
【０２１０】
また、本実施形態では、禁じられているが、ファイル管理画面１１０のプリンタ表示領域１２０にて接続可能機種の項目が選択状態にあり、登録ファイル表示領域１３０にその接続可能機種のファイル登録リストが表示されている場合において、ファイル管理画面１１０のプリンタ表示領域１２０の選択状態にある接続可能機種とは別の接続可能機種の項目を登録ファイル表示領域１３０までドラッグ＆ドロップするようにしてもよい。その場合、この別の接続可能機種に転送されるファイルが、選択状態にある接続可能機種に転送されるファイルとして登録される。
【０２１１】
また、本実施形態では、エクスプローラとファイル管理アプリケーション１００のファイル管理画面１１０とは別画面であるが、ファイル管理アプリケーション１００のファイル管理機能をエクスプローラの１機能とし、エクスプローラの左側のフォルダ表示領域に表示される１フォルダとして、ファイル管理画面１１０の「Ｔｒａｎｓｆｅｒ  Ｍａｎａｇｅｒ」の項目を追加し、その配下に、接続可能機種の項目や接続プリンタの項目が表示されるようにしてもよい。
【図面の簡単な説明】
【０２１２】
【図１】プリンタ１及びＰＣ２の概略を示す外観斜視図である。
【図２】ＰＣ２に接続されるプリンタ１の外観斜視図である。
【図３】ＰＣ２の電気的構成を示すブロック図である。
【図４】ファイル管理アプリケーションのファイル管理画面のイメージ図である。
【図５】ファイル管理アプリケーションのファイル管理画面のイメージ図である。
【図６】ダイアログ画面のイメージ図である。
【図７】ファイル管理プログラムのメイン処理を示すフローチャートである。
【図８】接続プリンタ検出処理を示すフローチャートである。
【図９】ファイルドラッグ処理を示すフローチャートである。
【図１０】ファイルドラッグ表示処理を示すフローチャートである。
【図１１】プリンタアイコンドラッグ処理を示すフローチャートである。
【図１２】接続可能機種アイコンドラッグ表示処理のフローチャートである。
【図１３】登録ファイルドラッグ処理のフローチャートである。
【図１４】登録ファイルドラッグ表示処理のフローチャートである。
【図１５】プリンタ選択処理のフローチャートである。
【符号の説明】
【０２１３】
１  プリンタ
２  ＰＣ
５  モニタ
７  マウス
２０  ＣＰＵ
２１  ＲＯＭ
２２  ＲＡＭ
２５  ＨＤＤ
２８  接続可能機種リスト記憶エリア
２９  ファイル登録リスト記憶エリア
１１０  ファイル管理画面
１２０  プリンタ表示領域
１３０  登録ファイル表示領域
【図１】
2008015853.tif 000003
【図２】
2008015853.tif 000004
【図３】
2008015853.tif 000005
【図７】
2008015853.tif 000006
【図８】
2008015853.tif 000007
【図９】
2008015853.tif 000008
【図１０】
2008015853.tif 000009
【図１１】
2008015853.tif 000010
【図１２】
2008015853.tif 000011
【図１３】
2008015853.tif 000012
【図１４】
2008015853.tif 000013
【図１５】
2008015853.tif 000014
【図４】
2008015853.tif 000015
【図５】
2008015853.tif 000016
【図６】
2008015853.tif 000017